(57)【特許請求の範囲】
【請求項１】
ワイヤレスネットワークにおいて電力ヘッドルームを報告するための方法であって、
少なくとも第１のセルによってサービスされる第１の接続を確立することと、
少なくとも第２のセルによってサービスされる第２の接続を確立することと、
前記第１のセル内で、前記第１のセルの第１のアップリンクサブフレーム内で第１の電力ヘッドルームを報告することを決定することと、
前記第１のアップリンクサブフレームと少なくとも部分的に時間の点で重複する、前記第２のセルの第２のサブフレームのタイプがアップリンクサブフレームでないことを決定することと、
前記第２のセル内で第２の電力ヘッドルームを報告することに関する報告構成を決定することと、ここにおいて、前記報告構成を前記決定することが、前記第２のサブフレームの前記タイプがアップリンクサブフレームでないことを前記決定することに少なくとも部分的に基づく、
を備える、方法。
【請求項２】
前記第１の接続および前記第２の接続が同期し、前記第２のサブフレームが、前記第１の電力ヘッドルームを報告することを決定するための前記第１のアップリンクサブフレームと同時に発生する、請求項１に記載の方法。
【請求項３】
前記第２のサブフレームの前記タイプがアップリンクサブフレームでないことを決定することが、前記タイプがダウンリンクサブフレームまたは特殊サブフレームのうちの１つであることを決定することを備える、請求項１に記載の方法。
【請求項４】
前記第２のサブフレームの前記タイプがアップリンクサブフレームでないことを決定することが、前記第１のセルまたは前記第２のセルのうちの少なくとも１つによってシグナリングされるサブフレーム構成に少なくとも部分的に基づく、請求項１に記載の方法。
【請求項５】
前記第２の電力ヘッドルームに関する前記報告構成を決定することが、アップリンクサブフレームでないとしての前記第２のサブフレームの前記タイプに少なくとも部分的に基づいて、前記第２の電力ヘッドルームを仮想電力ヘッドルームとして報告することを決定することを備える、請求項１に記載の方法。
【請求項６】
前記第２の電力ヘッドルームに関する前記報告構成を決定することが、前記第２のセルに関する前記第２の電力ヘッドルームの報告を省略することを決定することを備える、請求項１に記載の方法。
【請求項７】
前記第２のサブフレームの前記タイプがアップリンクサブフレームでないことを決定することが、半静的サブフレーム構成または動的サブフレーム構成に少なくとも部分的に基づく、請求項１に記載の方法。
【請求項８】
前記第２の電力ヘッドルームに関する前記報告構成を決定することが、前記第２のサブフレームが、前記半静的サブフレーム構成または前記動的サブフレーム構成に従ってアップリンクサブフレームでないとして表示されるとき、前記第２の電力ヘッドルームを仮想電力ヘッドルームとして報告することを決定することを備える、請求項７に記載の方法。
【請求項９】
前記第２のセルの前記第２のサブフレームが、前記第１のアップリンクサブフレームの前に発生し、前記第１のアップリンクサブフレームに部分的に時間の点で重複し、前記第１のセルおよび前記第２のセルが非同期タイミングを利用する、請求項１に記載の方法。
【請求項１０】
前記第１の電力ヘッドルームに基づいて前記第２の電力ヘッドルームに関する前記報告構成に関する１つまたは複数のパラメータを表示する構成を前記第１のセルから受信することをさらに備え、前記報告構成を決定することが、前記構成に少なくとも部分的に基づく、請求項１に記載の方法。
【請求項１１】
前記第１のセルに関する前記第１の電力ヘッドルームを報告することと、
前記第１の電力ヘッドルームを報告する際に、前記第２の電力ヘッドルームが前記第１の電力ヘッドルームを前記報告することに含まれるかどうかを表示することと
をさらに備える、請求項１に記載の方法。
【請求項１２】
前記第１のセルに関する前記第１の電力ヘッドルームおよび前記第２のセルに関する前記第２の電力ヘッドルームを報告することと、
少なくとも前記第２の電力ヘッドルームが、仮想電力ヘッドルームであるか、または実際の電力ヘッドルームであるかを表示することと
をさらに備える、請求項１に記載の方法。
【請求項１３】
前記第１のセルに関する前記第１の電力ヘッドルームおよび前記第２のセルに関する前記第２の電力ヘッドルームを報告することと、
前記第２の電力ヘッドルームを報告することに基づいて、電力ヘッドルーム報告条件が前記第２のセルに関して達成されるかどうかを決定することと、
前記電力ヘッドルーム報告条件が前記第２のセルに関して達成されることを決定することに少なくとも部分的に基づく前記電力ヘッドルーム報告条件に基づくとして前記第２の電力ヘッドルームを前記報告することを表示することと
をさらに備える、請求項１に記載の方法。
【請求項１４】
前記電力ヘッドルーム報告条件に基づくとして前記第２の電力ヘッドルームの前記報告を表示することがさらに、報告された前記第２の電力ヘッドルームが実際の電力ヘッドルームであるかどうかを決定することに少なくとも部分的に基づく、請求項１３に記載の方法。
【請求項１５】
前記第２のセルに関する前記電力ヘッドルーム報告条件が、少なくとも基づく経路損失変更、または周期的構成である、請求項１３に記載の方法。
【請求項１６】
前記第１の接続および前記第２の接続が２つの異なるセルグループに属し、前記第１の接続および前記第２の接続のうちの１つが１次セルグループのものであり、前記２つの異なるセルグループが異なるフレーム構造、異なるサブフレーム構造、または異なる通信タイミングを有する、請求項１に記載の方法。
【請求項１７】
ワイヤレスネットワークにおいて電力ヘッドルームを報告するための装置であって、
メモリと、
前記メモリに結合され、
少なくとも第１のセルによってサービスされる第１の接続を確立することと、
少なくとも第２のセルによってサービスされる第２の接続を確立することと、
前記第１のセル内で、前記第１のセルの第１のアップリンクサブフレーム内で第１の電力ヘッドルームを報告することを決定することと、
前記第１のアップリンクサブフレームと少なくとも部分的に時間の点で重複する、前記第２のセルの第２のサブフレームのタイプがアップリンクサブフレームでないことを決定することと、
前記第２のセル内で第２の電力ヘッドルームを報告することに関する報告構成を決定することと、ここにおいて、前記報告構成を前記決定することが、前記第２のサブフレームの前記タイプがアップリンクサブフレームでないことを前記決定することに少なくとも部分的に基づく、
を行うために構成された少なくとも１つのプロセッサと
を備える、装置。
【請求項１８】
前記第１の接続および前記第２の接続が同期し、前記第２のサブフレームが、前記第１の電力ヘッドルームを報告することを決定するための前記第１のアップリンクサブフレームと同時に発生する、請求項１７に記載の装置。
【請求項１９】
前記第２のサブフレームの前記タイプがアップリンクサブフレームでないことを決定することが、前記タイプがダウンリンクサブフレームまたは特殊サブフレームのうちの１つであることを決定することを備える、請求項１７に記載の装置。
【請求項２０】
前記第２のサブフレームの前記タイプがアップリンクサブフレームでないことを決定することが、前記第１のセルまたは前記第２のセルのうちの少なくとも１つによってシグナリングされるサブフレーム構成に少なくとも部分的に基づく、請求項１７に記載の装置。
【請求項２１】
前記少なくとも１つのプロセッサが、アップリンクサブフレームでないとしての前記第２のサブフレームの前記タイプに少なくとも部分的に基づいて仮想電力ヘッドルームとして前記第２の電力ヘッドルームに関する前記報告構成を決定するためにさらに構成される、請求項１７に記載の装置。
【請求項２２】
前記少なくとも１つのプロセッサが、前記第２のセルに関する前記第２の電力ヘッドルームの報告を省略するための前記第２の電力ヘッドルームに関する前記報告構成を決定するためにさらに構成される、請求項１７に記載の装置。
【請求項２３】
前記第２のサブフレームの前記タイプがアップリンクサブフレームでないことを決定することが、半静的サブフレーム構成または動的サブフレーム構成に少なくとも部分的に基づく、請求項１７に記載の装置。
【請求項２４】
前記少なくとも１つのプロセッサが、前記第２のサブフレームが前記半静的サブフレーム構成または前記動的サブフレーム構成に従ってアップリンクサブフレームでないとして表示されるとき、仮想電力ヘッドルームとして前記第２の電力ヘッドルームに関する前記報告構成を決定するためにさらに構成される、請求項２３に記載の装置。
【請求項２５】
ワイヤレスネットワークにおいて電力ヘッドルームを報告するための装置であって、
少なくとも第１のセルによってサービスされる第１の接続を確立するための手段と、
少なくとも第２のセルによってサービスされる第２の接続を確立するための手段と、
前記第１のセル内で、前記第１のセルの第１のアップリンクサブフレーム内で第１の電力ヘッドルームを報告することを決定するための手段と、
前記第１のアップリンクサブフレームと少なくとも部分的に時間の点で重複する、前記第２のセルの第２のサブフレームのタイプがアップリンクサブフレームでないことを決定するための手段と、
前記第２のセル内で第２の電力ヘッドルームを報告することに関する報告構成を決定するための手段と、ここにおいて、前記報告構成を前記決定するための手段が、前記第２のサブフレームの前記タイプがアップリンクサブフレームでないことを決定する、前記第２のサブフレームの前記タイプがアップリンクサブフレームでないことを前記決定するための手段に少なくとも部分的に基づいて前記報告構成を決定する、
を備える、装置。
【請求項２６】
前記第１の接続および前記第２の接続が同期し、前記第２のサブフレームが、前記第１の電力ヘッドルームを報告することを決定するための前記第１のアップリンクサブフレームと同時に発生する、請求項２５に記載の装置。
【請求項２７】
コンピュータによって実行されたとき、前記コンピュータに、
少なくとも第１のセルによってサービスされる第１の接続を確立することと、
少なくとも第２のセルによってサービスされる第２の接続を確立することと、
前記第１のセル内で、前記第１のセルの第１のアップリンクサブフレーム内で第１の電力ヘッドルームを報告することを決定することと、
前記第１のアップリンクサブフレームと少なくとも部分的に時間の点で重複する、前記第２のセルの第２のサブフレームのタイプがアップリンクサブフレームでないことを決定することと、
前記第２のセル内で第２の電力ヘッドルームに関する報告構成を決定することと、ここにおいて、前記報告構成を前記決定することが、前記第２のサブフレームの前記タイプがアップリンクサブフレームでないことを決定することに少なくとも部分的に基づく、
を行わせるコンピュータ実行可能コードを備える、非一時的コンピュータ可読記憶媒体。
【請求項２８】
前記第１の接続および前記第２の接続が同期し、前記第２のサブフレームが、前記第１の電力ヘッドルームを報告することを決定するための前記第１のアップリンクサブフレームと同時に発生する、請求項２７に記載の非一時的コンピュータ可読記憶媒体。
【発明の詳細な説明】
【技術分野】
【０００１】
優先権の主張
[0001]本特許出願は、本出願の譲受人に譲渡され、その全体が参照により本明細書に明確に組み込まれる、２０１５年３月３０に出願された「ＴＥＣＨＮＩＱＵＥＳ  ＦＯＲ  ＲＥＰＯＲＴＩＮＧ  ＰＯＷＥＲ  ＨＥＡＤＲＯＯＭ  ＩＮ  ＭＵＬＴＩＰＬＥ  ＣＯＮＮＥＣＴＩＶＩＴＹ  ＷＩＲＥＬＥＳＳ  ＣＯＭＭＵＮＩＣＡＴＩＯＮＳ」と題する非仮出願第１４／６７３，４８７号、および２０１４年６月３日に出願された「ＴＥＣＨＮＩＱＵＥＳ  ＦＯＲ  ＲＥＰＯＲＴＩＮＧ  ＰＯＷＥＲ  ＨＥＡＤＲＯＯＭ  ＩＮ  ＭＵＬＴＩＰＬＥ  ＣＯＮＮＥＣＴＩＶＩＴＹ  ＷＩＲＥＬＥＳＳ  ＣＯＭＭＵＮＩＣＡＴＩＯＮＳ」と題する仮出願第６２／００７，２６６号の優先権を主張する。
【０００２】
[0002]本開示は、たとえば、ワイヤレス通信システムに関し、より詳細には、多重接続性ワイヤレス通信において電力ヘッドルームを報告するための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることができる多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局（たとえば、ｅＮｏｄｅＢ）を含み得る。ＵＥは、ダウンリンクとアップリンクとを介して基地局と通信することができる。ダウンリンク（または、順方向リンク）は基地局からＵＥへの通信リンクを指し、アップリンク（または、逆方向リンク）はＵＥから基地局への通信リンクを指す。
【０００５】
[0005]多重接続性ワイヤレス通信において、ＵＥは、複数のリンクを使用して複数の基地局によって構成された複数のセルまたはセルグループと通信するように構成され得る。加えて、一例では、リンクの各々は、複数のコンポーネントキャリアで構成され得る（たとえば、対応するセルグループとの複数のリンクのうちの１つまたは複数を介したキャリアアグリゲーション）。この構成では、複数のセルまたはセルグループは各々、異なるフレーム構造（たとえば、周波数分割複信（ＦＤＤ）、時分割複信（ＴＤＤ）など）、異なるサブフレーム構成（たとえば、ＴＤＤにおける）、ＵＥとの通信において動的サブフレーム構成、非同期タイミングなどを可能にするための技法を利用することができる。
【０００６】
[0006]ＵＥは、１つまたは複数のサブフレーム内のセルに電力ヘッドルームを報告することができる。電力ヘッドルーム報告が複数のセルまたはセルグループに関して発生することになる場合、それを介して、ＵＥが、１つのセルまたはセルグループに関する電力ヘッドルーム報告を（アップリンクサブフレーム内で）提供するように構成されるサブフレームは、他のセルまたはセルグループのうちの１つに関するダウンリンクサブフレームまたは他の非アップリンクサブフレーム（たとえば、特殊サブフレーム）であり得る可能性がある。そのようなサブフレーム内での電力ヘッドルームの報告は未定義であり得る。さらに、あるセルグループに関して実際の電力ヘッドルームが報告されることが可能であるが、別のセルグループに関して仮想電力ヘッドルームの報告だけが可能である。したがって、多重接続性ワイヤレス通信において電力ヘッドルームを報告するための技法が必要とされる。
【発明の概要】
【０００７】
[0007]本開示の態様は、一般に、ワイヤレス通信に関し、より詳細には、多重接続性ワイヤレス通信において電力ヘッドルームを報告するための技法に関する。たとえば、複数の基地局によって構成される複数のセルと通信するときに電力ヘッドルームを報告するための技法が本明細書で説明される。
【０００８】
[0008]一態様によれば、ワイヤレスデバイス（たとえば、ユーザ機器（ＵＥ））は、ワイヤレスネットワークにおいて複数の基地局（たとえば、マスタｅＮｏｄｅＢ（ＭｅＮｏｄｅＢまたはＭｅＮＢ：master eNodeB）および／または少なくとも１つの２次ｅＮｏｄｅＢ（ＳｅＮｏｄｅＢまたはＳｅＮＢ））によって構成される複数のセルまたはセルグループ（たとえば、ＰＣｅｌｌまたは１つまたは複数のＳＣｅｌｌ）と通信することができる。マスタセルグループ（ＭＣＧ）（または、１次セルグループ（ＰＣＧ））と呼ばれるＰＣｅｌｌ内に１つまたは複数のセル、および／または、２次セルグループ（ＳＣＧ）と呼ばれるＳＣｅｌｌ内に１つまたは複数のセルが存在し得る。一例では、ＭＣＧは、ワイヤレスデバイスに関する（たとえば、１つまたは複数のキャリアを介した）第１の接続を構成することができ、ＳＣＧは、ワイヤレスデバイスに関する第２の接続を構成することができる。各接続は、異なるフレーム構造、異なるサブフレーム構成、非同期タイミングなどを利用することができる。したがって、ワイヤレスデバイスは、セルグループ間のそのような潜在的差異を解決するために、ＭＣＧおよび／またはＳＣＧに関する電力ヘッドルームを報告するための報告構成を決定するように構成され得る。
【０００９】
[0009]たとえば、ワイヤレスデバイスがＭＣＧに関するアップリンクサブフレーム内で電力ヘッドルームを報告するように構成される場合、（たとえば、ＭＣＧのゲーティング間隔がＳＣＧのゲーティング間隔と整合されるようにＭＣＧおよびＳＣＧが同期している場合）対応するサブフレームは、ＳＣＧに関する非アップリンクサブフレーム（たとえば、ダウンリンクサブフレームまたは特殊サブフレーム）であり得る。この場合、たとえば、ワイヤレスデバイスは、報告構成によって、仮想電力ヘッドルーム報告を使用して、ＳＣＧに関する電力ヘッドルームを報告すること、ＳＣＧに関する電力ヘッドルームを報告することを省略すること、またはＳＣＧに関する電力ヘッドルームを選択的に報告することなどのうちの少なくとも１つを行うように構成され得る。いくつかの例では、ワイヤレスデバイスは、ＭＣＧ電力ヘッドルーム報告するように構成されたすべてのサブフレーム内でＳＣＧに関する電力ヘッドルーム報告を省略または実行するように構成され得る。他の例では、ワイヤレスデバイスは、サブフレームタイプなど、追加のパラメータに基づいて、ＭＣＧ電力ヘッドルーム報告するように構成されたサブフレーム内でＳＣＧに関する電力ヘッドルーム報告を省略または実行するように構成され得る。
【００１０】
[0010]一例によれば、ワイヤレスネットワークにおいて多重接続性を使用して電力ヘッドルームを報告するための方法が提供される。本方法は、少なくとも１つのセルによってサービスされる第１の接続を確立することと、少なくとも第２のセルによってサービスされる第２の接続を確立することと、第１のセル内の第１のセルの第１のアップリンクサブフレーム内で第１の電力ヘッドルームを報告することを決定することと、第２のセルの第２のサブフレームのタイプがアップリンクサブフレームでないとき、第２のセルの第２のサブフレームに基づいて第２の電力ヘッドルームに関する報告構成を決定することとを含む。本方法はまた、第１の接続および第２の接続が同期し、第２のサブフレームが、第１の電力ヘッドルームを報告することを決定するための第１のアップリンクサブフレームと同時に発生する、を含み得る。本方法は、第２のサブフレームタイプがダウンリンクサブフレームまたは特殊サブフレームのうちの１つである、をさらに含み得る。本方法はまた、第１のセルまたは第２のセルのうちの少なくとも１つによってシグナリングされるサブフレーム構成に少なくとも部分的に基づいて第２のサブフレームのタイプを決定することをさらに含み得る。本方法は、第２の電力ヘッドルームに関する報告構成を決定することが、アップリンクサブフレームでないとしての第２のサブフレームのタイプに少なくとも部分的に基づいて第２の電力ヘッドルームを仮想電力ヘッドルームとして報告することを決定することを備える、を含み得る。本方法は、第２の電力ヘッドルームに関する報告構成を決定することが、第２のセルに関する第２の電力ヘッドルームの報告を省略することを決定することを備える、を含み得る。
【００１１】
[0011]本方法はまた、半静的サブフレーム構成または動的サブフレーム構成に少なくとも部分的に基づいて第２のサブフレームのタイプを決定することを含み得る。本方法は、第２の電力ヘッドルームに関する報告構成を決定することが、第２のサブフレームが、半静的サブフレーム構成または動的サブフレーム構成に従って非アップリンクサブフレームとして表示されるとき、第２の電力ヘッドルームを仮想電力ヘッドルームとして報告することを決定することを備える、を含み得る。本方法はまた、第２の電力ヘッドルームを報告することを決定することが、第２のサブフレームが、第２のセルからのシステム情報内でシグナリングされるサブフレーム構成に従ってアップリンクサブフレームとして表示されることを決定することに少なくとも部分的に基づく、を含み得る。さらに、本方法は、第２の電力ヘッドルームに関する報告構成を決定することが、第１のアップリンクサブフレームの前に発生し、第１のアップリンクサブフレームに重複する第２のセルの第２のサブフレームのタイプを決定することに少なくとも部分的に基づく、ここにおいて、第１のセルおよび第２のセルが非同期タイミングを利用する、を含み得る。本方法はまた、第１の電力ヘッドルームに基づいて第２の電力ヘッドルームに関する報告構成に関する１つまたは複数のパラメータを表示する構成を第１のセルから受信すること、ここにおいて、報告構成を決定することが、その構成に少なくとも部分的に基づく、を含み得る。さらに、本方法は、第１のセルに関する第１の電力ヘッドルームを報告することと、第１の電力ヘッドルームを報告する際に、第２の電力ヘッドルームが第１の電力ヘッドルームを報告することに含まれるかどうかを表示することとを含み得る。本方法はまた、第１のセルに関する第１の電力ヘッドルームおよび第２のセルに関する第２の電力ヘッドルームを報告することと、少なくとも第２の電力ヘッドルームが、仮想電力ヘッドルームであるか、または実際の電力ヘッドルームであるかを表示することとを含み得る。
【００１２】
[0012]本方法はまた、第１のセルに関する第１の電力ヘッドルームおよび第２のセルに関する第２の電力ヘッドルームを報告することと、第２の電力ヘッドルームを報告することに基づいて、電力ヘッドルーム報告条件が第２のセルに関して達成されるかどうかを決定することと、電力ヘッドルーム報告条件が第２のセルに関して達成されることを決定することに少なくとも部分的に基づく電力ヘッドルーム報告条件に基づくとして第２の電力ヘッドルームを報告することを表示することを含み得る。さらに、本方法は、電力ヘッドルーム報告条件に基づくとして第２の電力ヘッドルームの報告を表示することがさらに、報告された第２の電力ヘッドルームが実際の電力ヘッドルームであるかどうかを決定することに少なくとも部分的に基づく、を含み得る。本方法はまた、第２のセルに関する電力ヘッドルーム報告条件が、少なくとも基づいた経路損失変更、または周期的構成である、を含み得る。本方法はさらに、第１の接続および第２の接続が２つの異なるセルグループに属し、第１の接続および第２の接続のうちの１つが１次セルグループのものである、を含み得る。
【００１３】
[0013]別の例では、ワイヤレスネットワークにおいて多重接続性を使用して電力ヘッドルームを報告するための装置が提供される。本装置は、少なくとも１つのセルによってサービスされる第１の接続を確立し、少なくとも第２のセルによってサービスされる第２の接続を確立するための通信構成要素と、第１のセル内の第１のセルの第１のアップリンクサブフレーム内で第１の電力ヘッドルームを報告することを決定し、第２のセルの第２のサブフレームのタイプがアップリンクサブフレームでないとき、第２のセルの第２のサブフレームに基づいて第２の電力ヘッドルームに関する報告構成を決定するための電力ヘッドルーム報告構成要素とを含み得る。本装置はまた、第１の接続および第２の接続が同期し、第２のサブフレームが、第１の電力ヘッドルームを報告することを決定するための第１のアップリンクサブフレームと同時に発生する、を含み得る。本装置は、第２のサブフレームのタイプがダウンリンクサブフレームまたは特殊サブフレームのうちの１つである、さらに含み得る。さらに、本装置は、第１のセルまたは第２のセルのうちの少なくとも１つによってシグナリングされるサブフレーム構成に少なくとも部分的に基づいて第２のサブフレームのタイプを決定するように構成されたサブフレームタイプ決定構成要素を含み得る。本装置はまた、電力ヘッドルーム報告構成要素が、アップリンクサブフレームでないとしての第２のサブフレームのタイプに少なくとも部分的に基づいて仮想電力ヘッドルームとして第２の電力ヘッドルームに関する報告構成を決定するように構成される、を含み得る。本装置は、電力ヘッドルーム報告構成要素が、第２のセルに関する第２の電力ヘッドルームの報告を省略するための第２の電力ヘッドルームに関する報告構成を決定するように構成される、を含み得る。
【００１４】
[0014]本装置はまた、半静的サブフレーム構成または動的サブフレーム構成に少なくとも部分的に基づいて第２のサブフレームのタイプを決定するように構成されたサブフレームタイプ決定構成要素を含み得る。本装置は、電力ヘッドルーム報告構成要素が、第２のサブフレームが半静的サブフレーム構成または動的サブフレーム構成に従って非アップリンクサブフレームとして表示されるとき、仮想電力ヘッドルームとして第２の電力ヘッドルームに関する報告構成を決定するように構成される、を含み得る。本装置はまた、電力ヘッドルーム報告構成要素が、第２のサブフレームが、第２のセルからのシステム情報内でシグナリングされるサブフレーム構成に従ってアップリンクサブフレームとして表示されることを決定することに少なくとも部分的に基づいて第２の電力ヘッドルームを報告することを決定するように構成される、を含み得る。
【００１５】
[0015]別の例では、ワイヤレスネットワークにおいて多重接続性を使用して電力ヘッドルームを報告するための装置が提供される。本装置は、少なくとも１つのセルによってサービスされる第１の接続を確立するための手段と、少なくとも第２のセルによってサービスされる第２の接続を確立するための手段と、第１のセル内の第１のセルの第１のアップリンクサブフレーム内で第１の電力ヘッドルームを報告することを決定するための手段と、第２のセルの第２のサブフレームのタイプがアップリンクサブフレームでないとき、第２のセルの第２のサブフレームに基づいて第２の電力ヘッドルームに関する報告構成を決定するための手段とを含む。本装置はまた、第１の接続および第２の接続が同期し、第２のサブフレームが、第１の電力ヘッドルームを報告することを決定するための第１のアップリンクサブフレームと同時に発生する、を含み得る。
【００１６】
[0016]さらに別の例では、ワイヤレスネットワークにおいて多重接続性を使用して電力ヘッドルームを報告するためのコンピュータ実行可能コードを備えたコンピュータ可読記憶媒体が提供される。本コードは、少なくとも１つのコンピュータに、少なくとも第１のセルによってサービスされる第１の接続を確立させるためのコードと、少なくとも１つのコンピュータに、少なくとも第２のセルによってサービスされる第２の接続を確立させるためのコードと、少なくとも１つのコンピュータに、第１のセル内の第１のセルの第１のアップリンクサブフレーム内で第１の電力ヘッドルームを報告することを決定させるためのコードと、少なくとも１つのコンピュータに、第２のセルの第２のサブフレームのタイプがアップリンクサブフレームでないとき、第２のセルの第２のサブフレームに基づいて第２の電力ヘッドルームに関する報告構成を決定させるためのコードとを備える。本コンピュータ可読記憶媒体はまた、第１の接続および第２の接続が同期し、第２のサブフレームが、第１の電力ヘッドルームを報告することを決定するための第１のアップリンクサブフレームと同時に発生する、を含み得る。
【００１７】
[0017]本開示の様々な態様および特徴が、添付の図面に示されているそれらの様々な例を参照しながら以下でさらに詳細に説明される。本開示は、様々な例を参照しながら以下で説明されるが、本開示はそれに制限されないことを理解されたい。本明細書の教示へのアクセスを有する当業者は、追加の実装形態、変更形態、および例、ならびに本明細書で説明される本開示の範囲内であり、それに関して本開示が著しく有用であり得る他の使用分野を認識されよう。
【００１８】
[0018]本開示のより完全な理解を可能にするために、次に添付の図面が参照され、図面では、同様の数字を用いて同様の要素が参照される。これらの図面は、本開示を限定するものとして解釈されるべきではなく、例示的なものにすぎない。
【図面の簡単な説明】
【００１９】
【図１】[0019]本開示の一態様による、ワイヤレス通信システムの一例を概念的に示すブロック図。
【図２】[0020]本開示の一態様に従って構成されたｅＮｏｄｅＢおよびＵＥの例を概念的に示すブロック図。
【図３】[0021]本開示の一態様による、ＵＥにおける無線アクセス技術のアグリゲーションを概念的に示すブロック図。
【図４】[0022]本開示の一態様による、ＵＥとＰＤＮとの間のデータ経路の一例を概念的に示すブロック図。
【図５】[0023]本開示の一態様による、多重接続性キャリアアグリゲーションを概念的に示す図。
【図６】[0024]本開示の一態様に従って構成されたＵＥおよび構成要素の一例を概念的に示すブロック図。
【図７】[0025]本開示の一態様による、電力ヘッドルームを報告するための方法を示すフローチャート。
【図８】[0026]本開示の一態様による、電力ヘッドルームを報告するための方法を示すフローチャート。
【図９】[0027]本開示の一態様による、電力ヘッドルームを報告するための例示的なタイムラインを示す図。
【図１０】[0028]本開示の一態様による、電力ヘッドルームを報告するための方法を示すフローチャート。
【図１１】[0029]本開示の一態様に従って構成された処理システムを利用する装置のための例示的なハードウェア実装形態を概念的に示すブロック図。
【発明を実施するための形態】
【００２０】
[0030]添付の図面に関して以下に記載される詳細な説明は、様々な構成を説明するものであり、本明細書で説明する概念が実施され得る構成のみを表すものではない。詳細な説明は、様々な概念の完全な理解を提供する目的のための詳細を含む。しかしながら、これらの概念がこれらの詳細なしに実践され得ることが、当業者に明らかであろう。場合によっては、よく知られている構造および構成要素が、そのような概念を不明瞭にすることを避けるためにブロック図の形態で示される。
【００２１】
[0031]キャリアアグリゲーションおよび／または多重接続性通信モードにおいて複数の接続を使用するための電力ヘッドルームを報告するための方法、装置、デバイス、およびシステムを含む様々な技法が説明される。いくつかの態様では、ワイヤレスデバイス（たとえば、ユーザ機器（ＵＥ））は、ワイヤレスデバイスがワイヤレスネットワークにアクセスする際にそれを介して通信することができる複数のセルの各々から許可されたリソースを受信することを含み得る、キャリアアグリゲーションおよび／または多重接続性通信モードを使用して１つまたは複数のネットワークエンティティによって構成される複数のセルと通信することができる。いくつかの態様では、ワイヤレスデバイスは、第１の１次セル（たとえば、マスタセルグループ（ＭＣＧ）／１次セルグループ（ＰＣＧ）１次セルまたはＰＣｅｌｌ）と通信するための第１の構成情報を受信することができる。ワイヤレスデバイスはまた、第２のネットワークエンティティの第２の１次セル（たとえば、２次セルグループ（ＳＣＧ）１次セルまたはＰＣｅｌｌSCG）と通信するための第２の構成情報を受信することができる。多重接続性ワイヤレス通信の場合、ＰＣｅｌｌは、異なるｅＮｏｄｅＢ（たとえば、ＰＣｅｌｌを提供するマスタｅＮｏｄｅＢまたはＭｅＮｏｄｅＢ、およびＰＣｅｌｌSCGを提供する２次ｅＮｏｄｅＢまたはＳｅＮｏｄｅＢ）によって提供され得る。いずれの場合にも、第１の１次セルおよび第２の１次セル（または、それぞれのセルグループ）の各々に関して、ワイヤレスデバイスは、第１のセルまたはセルグループに関する電力ヘッドルーム報告（ＰＨＲ）を送信するかどうかを決定することができ、第１のセルまたはセルグループに関するＰＨＲを提供する観点から、第２のセルまたはセルグループに関する対応するＰＨＲを送信することを決定することができる。この決定は、本明細書で説明する追加の考慮事項に基づき得る。
【００２２】
[0032]本明細書で参照されるようなＰＨＲは、（たとえば、ＵＥおよび／または公称電力に関して定義される最大送信電力に基づいて）セルまたはセルグループ内の現在の送信のために使用される電力に加えて使用するためにＵＥに残された送信電力量を表示する実ＰＨＲ、（セルまたはセルグループ内の実際の送信は発生しないが）セルまたはセルグループ内で送信するためのものであった場合、使用するためのＵＥに残された送信電力量を表示する仮想ＰＨＲなどを含み得る。ＰＨＲは、ＬＴＥにおけるメディアアクセス制御（ＭＡＣ）制御要素（ＣＥ）であり得る。いずれの場合にも、セルまたはセルグループは、サブフレーム内のワイヤレスデバイスに関するアップリンク帯域幅割り当てを決定するためにＰＨＲを使用することができる。
【００２３】
[0033]一態様では、ＭＣＧおよびＳＣＧ（または、関係するｅＮｏｄｅＢ）は、異なるフレーム構造、異なるサブフレーム構成、異なる通信タイミングまたはオフセットなどを使用して関係するキャリア上で通信するようにワイヤレスデバイスを構成することができる。したがって、ワイヤレスデバイスがＭＣＧに関する電力ヘッドルームを報告するように構成されるとき、報告のタイミングまたはアップリンクサブフレームは、ＳＣＧにおける非アップリンクサブフレーム（たとえば、ダウンリンクサブフレームまたは特殊サブフレーム）に対応し得る。ワイヤレスデバイスは、そのような場合、それに応じて、ＭＣＧとともに、ＳＣＧに関する電力ヘッドルーム報告を報告するか、または省略することができる。このようにして、デバイスは、ＳＣＧに関する電力ヘッドルームに関する報告構成を決定することができる。
【００２４】
[0034]一例では、ワイヤレスデバイスは、ＭＣＧの電力ヘッドルーム報告とともに、ＳＣＧ（および／または他のセルグループ）に関する電力ヘッドルームを報告するように構成され得る。別の例では、ワイヤレスデバイスは、ＭＣＧに関する電力ヘッドルームを報告するとき、ＳＣＧに関する電力ヘッドルームの報告を省略するように構成され得る。さらに別の例では、ワイヤレスデバイスは、ＭＣＧに関する電力ヘッドルームを報告する時点または報告を決定する時点の（または、その前）のＳＣＧ通信に関するサブフレームタイプに少なくとも部分的に基づいて、ＭＣＧに関する電力ヘッドルームとともに、ＳＣＧに関する電力ヘッドルームを報告するように構成され得、この場合、サブフレームタイプは、システム情報内および／または動的サブフレーム構成内などで表示されてよい。また、たとえば、ワイヤレスデバイスは、ＳＣＧに関するサブフレームタイプに基づいて、実ＰＨＲまたは仮想ＰＨＲを報告する（たとえば、サブフレームが、ダウンリンク、特殊、またはさもなければ、アップリンクでないとして構成される仮想ＰＨＲを報告する）ように構成され得る。さらに、ＭＣＧに関する電力ヘッドルームを報告するとき、ＳＣＧに関する電力ヘッドルームを報告するかどうかを決定することに関して主に説明されるが、本明細書で説明する機能は、ＳＣＧに関する電力ヘッドルームを報告するとき、ＭＣＧに関する電力ヘッドルームを報告するかどうかを決定することに適用され得ることを諒解されたい。
【００２５】
[0035]本明細書で説明する技法は、ＣＤＭＡ、ＴＤＭＡ、ＦＤＭＡ、ＯＦＤＭＡ、ＳＣ−ＦＤＭＡ、および他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標）：Wideband CDMA）およびＣＤＭＡの他の変形形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡはＵＭＴＳの一部である。３ＧＰＰ（登録商標）  ＬＴＥ（登録商標）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様が以下でＬＴＥに関して説明され、以下の説明の大部分でＬＴＥ用語が使用される。
【００２６】
[0036]図１は、本開示の一態様による、ワイヤレス通信システム１００の一例を概念的に示すブロック図である。ワイヤレス通信システム１００は、基地局（または、セル）１０５と、ユーザ機器（ＵＥ）１１５と、コアネットワーク１３０とを含む。ＵＥ１１５のうちの１つまたは複数は、本明細書でさらに説明するように、コンポーネントキャリア間のタイミング、サブフレーム構成などが異なる場合、ＰＨＲを生成するかどうか、および／またはどのように生成するかを決定することを含み得る、複数のコンポーネントキャリアの各々に関するＰＨＲを生成するための通信構成要素６４０を含み得る。基地局１０５は、様々な実施形態ではコアネットワーク１３０または基地局１０５の一部であり得る、基地局コントローラ（図示せず）の制御下でＵＥ１１５と通信することができる。基地局１０５は、第１のバックホールリンク１３２を通してコアネットワーク１３０と制御情報および／またはユーザデータを通信し得る。実施形態では、基地局１０５は、ワイヤードまたはワイヤレス通信リンクであり得る第２のバックホールリンク１３４を介して互いに直接または間接的に通信することができる。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上で説明した様々な無線技術に従って変調されたマルチキャリア信号であり得る。各被変調信号は、異なるキャリア上で送られることがあり、制御情報（たとえば、基準信号、制御チャネルなど）、オーバーヘッド情報、データなどを搬送し得る。ワイヤレス通信システム１００はまた、複数のフロー上での動作を同時にサポートし得る。いくつかの態様では、複数のフローは、複数のワイヤレスワイドエリアネットワーク（ＷＷＡＮ）またはセルラーフローに対応し得る。他の態様では、複数のフローは、ＷＷＡＮまたはセルラーフローとワイヤレスローカルエリアネットワーク（ＷＬＡＮ）またはＷｉ−Ｆｉフローとの組合せに対応し得る。
【００２７】
[0037]基地局１０５は、１つまたは複数の基地局アンテナを介してＵＥ１１５とワイヤレス通信することができる。基地局１０５のサイトの各々は、それぞれの地理的カバレージエリア１１０に通信カバレージを提供し得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ＮｏｄｅＢ、ｅＮｏｄｅＢ、ホームＮｏｄｅＢ、ホームｅＮｏｄｅＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。異なる技術のための重複するカバレージエリアがあり得る。
【００２８】
[0038]実装形態では、ワイヤレス通信システム１００はＬＴＥ／ＬＴＥ−Ａネットワーク通信システムである。ＬＴＥ／ＬＴＥ−Ａネットワーク通信システムにおいて、発展型ＮｏｄｅＢ（ｅＮｏｄｅＢ）という用語は、基地局１０５について説明するために使用され得る。ワイヤレス通信システム１００は、異なるタイプのｅＮｏｄｅＢが様々な地理的領域にカバレージを提供する、異種ＬＴＥ／ＬＴＥ−Ａネットワークであり得る。たとえば、各ｅＮｏｄｅＢ１０５は、マクロセル、ピコセル、フェムトセル、および／または他のタイプのセルに通信カバレージを提供し得る。マクロセルは、比較的大きい地理的エリア（たとえば、半径数キロメートル）をカバーし、ネットワークプロバイダのサービスに加入しているＵＥ１１５による無制限アクセスを可能にし得る。ピコセルは、比較的小さい地理的エリア（たとえば、建築物）をカバーすることができ、ネットワークプロバイダのサービスに加入しているＵＥ１１５による無制限アクセスを可能にし得る。また、フェムトセルは、比較的小さい地理的エリア（たとえば、自宅）をカバーし得、無制限アクセスに加えて、フェムトセルとの関連を有するＵＥ１１５（たとえば、限定加入者グループ（ＣＳＧ：closed subscriber group）内のＵＥ１１５、自宅内のユーザのためのＵＥ１１５など）による制限付きアクセスを可能にし得る。マクロセルのためのｅノードＢ１０５はマクロｅＮｏｄｅＢと呼ばれることがある。ピコセルのためのｅＮｏｄｅＢ１０５はピコｅＮｏｄｅＢと呼ばれることがある。また、フェムトセルのためのｅＮｏｄｅＢ１０５はフェムトｅＮｏｄｅＢまたはホームｅＮｏｄｅＢと呼ばれることがある。ｅノードＢ１０５は、１つまたは複数の（たとえば、２つ、３つ、４つなどの）セルをサポートし得る。ワイヤレス通信システム１００は、ＵＥ１１５のうちの１つまたは複数によるＬＴＥおよびＷＬＡＮまたはＷｉＦｉ（登録商標）の使用をサポートし得る。
【００２９】
[0039]コアネットワーク１３０は、第１のバックホールリンク１３２（たとえば、Ｓ１インターフェースなど）を介してｅＮｏｄｅＢ１０５または他の基地局１０５と通信することができる。ｅＮｏｄｅＢ１０５はまた、たとえば、第２のバックホールリンク１３４（たとえば、Ｘ２インターフェースなど）を介しておよび／または第１のバックホールリンク１３２を介して（たとえば、コアネットワーク１３０を通して）直接または間接的に、互いに通信することができる。ワイヤレス通信システム１００は同期動作または非同期動作をサポートし得る。同期動作の場合、ｅＮｏｄｅＢ１０５は同様のフレームタイミングを有し得、異なるｅＮｏｄｅＢ１０５からの送信は近似的に時間的に整合され得る。非同期動作の場合、ｅＮｏｄｅＢ１０５は異なるフレームタイミングを有し得、異なるｅＮｏｄｅＢ１０５からの送信は時間的に整合されないことがある。本明細書で説明する技法は、同期動作または非同期動作のいずれにも使用され得る。
【００３０】
[0040]ＵＥ１１５は、ワイヤレス通信システム１００全体にわたって分散され得、各ＵＥ１１５は固定または移動であり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドでアイス、タブレットコンピュータ、ラップトップコンピュータ、コードレスフォン、ワイヤレスローカルループ（ＷＬＬ）局などであり得る。ＵＥ１１５は、マクロｅＮｏｄｅＢ、ピコｅＮｏｄｅＢ、フェムトｅＮｏｄｅＢ、リレーなどと通信することが可能であり得る。
【００３１】
[0041]ワイヤレス通信システム１００に示された通信リンク１２５は、ＵＥ１１５からｅＮｏｄｅＢ１０５へのアップリンク（ＵＬ）送信、および／またはｅＮｏｄｅＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００３２】
[0042]ワイヤレス通信システム１００のいくつかの態様では、ＵＥ１１５は、キャリアアグリゲーション（ＣＡ）または１つまたは複数のｅＮｏｄｅＢ１０５によって提供される２つ以上のセルとの多重接続性ワイヤレス通信をサポートするように構成され得る。ＣＡ／多重接続性のために使用されるｅＮｏｄｅＢ１０５はコロケートされ得るか、または高速接続を通して接続されてよく、および／またはコロケートされなくてもよい。いずれの場合も、ＵＥ１１５とｅＮｏｄｅＢ１０５との間のワイヤレス通信のためのコンポーネントキャリア（ＣＣ）のアグリゲーションを協調させることは、情報がキャリアアグリゲーションを実行するために使用されている様々なセル間で容易に共有され得るので、より容易に行われ得る。キャリアアグリゲーションのために使用されるｅＮｏｄｅＢ１０５がコロケートされない（たとえば、遠くに離れているかまたはそれらの間の高速接続を有しない）とき、コンポーネントキャリアのアグリゲーションを協調させることは、追加の態様を伴い得る。たとえば、デュアル接続性（たとえば、２つのコロケートされないｅＮｏｄｅＢ１０５に接続されたＵＥ１１５）のためのキャリアアグリゲーションでは、ＵＥ１１５は、第１のｅＮｏｄｅＢ１０５（たとえば、ＳｅＮｏｄｅＢまたはＳｅＮＢ）の１次セルを通して第１のｅＮｏｄｅＢ１０５と通信するために構成情報を受信することができる。第１のｅＮｏｄｅＢ１０５は、第１のｅＮｏｄｅＢ１０５の、１つまたは複数の２次セルと１次セルまたはＰＣｅｌｌSCGとを含む、２次セルグループまたはＳＣＧと呼ばれるセルのグループを含み得る。ＵＥ１１５はまた、第２のｅＮｏｄｅＢ１０５（たとえば、ＭｅＮｏｄｅＢまたはＭｅＮＢ）の第２の１次セルを通して第２のｅＮｏｄｅＢ１０５と通信するために構成情報を受信することができる。第２のｅＮｏｄｅＢ１０５は、第２のｅＮｏｄｅＢ１０５の、１つまたは複数の２次セルと１次セルまたはＰＣｅｌｌMCGとを含む、マスタセルグループまたはＭＣＧと呼ばれるセルのグループを含み得る。
【００３３】
[0043]ワイヤレス通信システム１００のいくつかの態様では、デュアル接続性のためのキャリアアグリゲーションは、２次ｅＮｏｄｅＢ１０５（たとえば、ＳｅＮｏｄｅＢまたはＳｅＮＢ）がそれのセルのうちの１つをＰＣｅｌｌSCGとして動作するように構成されることを伴い得る。２次ｅＮｏｄｅＢ１０５は、ＵＥ１１５がマスタｅＮｏｄｅＢ１０５（たとえば、ＭｅＮｏｄｅＢまたはＭｅＮＢ）と通信している間にＵＥ１１５が２次ｅＮｏｄｅＢ１０５と通信するためにＰＣｅｌｌSCGを通して構成情報をＵＥ１１５に送信し得る。マスタｅＮｏｄｅＢ１０５は、それのＰＣｅｌｌを介して同じＵＥ１１５に対して、そのＵＥ１１５が他方のｅＮｏｄｅＢ１０５と通信するための構成情報を送信し得る。２つのｅＮｏｄｅＢ１０５はコロケートされないことがある。
【００３４】
[0044]いくつかの例では、ＵＥ１１５は、異なるフレーム構造、異なるサブフレーム構成、非同期タイミングなどを有するコンポーネントキャリアで構成され得る。たとえば、各キャリアは、多重接続性ワイヤレス通信内のセルまたはキャリアアグリゲーション内の同じセルに対応し得る。一例では、ＰＣｅｌｌMCG（たとえば、ＭＣＧ内の関係するｅＮｏｄｅＢ１０５）およびＰＣｅｌｌSCG（たとえば、ＳＣＧ内の関係するｅＮｏｄｅＢ１０５）は、異なるフレーム構造、異なるサブフレーム構成、非同期タイミングなどに従って、ＵＥ１１５を構成することができる。一例では、ＵＥ１１５がアップリンク通信およびダウンリンク通信のために異なる周波数サブバンドを介してＭＣＧにおいて通信することができるように、ＰＣｅｌｌMCGは、ＦＤＤ通信を使用するようにＵＥ１１５を構成することができる。この例では、アップリンク通信のために所与の周波数帯域上でいくつかのサブフレームが使用されるのに対して、ダウンリンク通信のために同じ周波数帯域上で他のサブフレームが使用されるように、ＰＣｅｌｌSCGは、ＴＤＤ通信を使用するようにＵＥ１１５を構成することができる。したがって、ＰＣｅｌｌMCGは、実質的に任意のサブフレーム内でＰＨＲを報告するようにＵＥ１１５を構成することができるが、サブフレームは、ＰＣｅｌｌSCGを有するアップリンクサブフレームに関係しない場合があり、したがって、ＰＣｅｌｌSCGに関するＰＨＲを報告するかどうか、および／またはどのように報告するかについて何らかの不確実性が存在し得る。同様に、たとえば、トラフィック適応のための拡張干渉管理（ｅＩＭＴＡ：evolved interference management for traffic adaptation）では、ＴＤＤ通信のために構成されたセルグループは、トラフィック要求に基づいて、ＴＤＤアップリンク／ダウンリンクサブフレーム構成を動的に修正することができ、したがって、上記の例では、ＰＣｅｌｌMCGによってＰＨＲを送信するように構成されたサブフレームはＰＣｅｌｌSCGとダウンリンク通信するように構成されることが可能であり、この構成は所与のフレーム内で動的に修正可能であり得る。
【００３５】
[0045]本明細書で説明する例では、ＵＥ１１５は、ＭｅＮＢ（または、関係するＭＣＧ）に関する電力ヘッドルームを報告することに基づいて、ＳｅＮＢ（または、関係するＳＣＧ）に電力ヘッドルームを報告するように、および／またはその逆に構成され得る。たとえば、ＵＥ１１５は、ＭＣＧに関するＰＨＲを送信する時間において、ＳＣＧを用いてスケジュールされたサブフレームのタイプに基づいて、ＭＣＧに関するＰＨＲとともに、ＳＣＧに関するＰＨＲを通信することができる。たとえば、ＵＥ１１５は、ＳＣＧからのシステム情報、（たとえば、ｅＩＭＴＡにおいて）ＳＣＧから受信された動的サブフレームまたは半静的サブフレーム構成などに基づいて決定され得る、アップリンクサブフレームでない（たとえば、ダウンリンクサブフレームまたは特殊サブフレーム）としてのサブフレームのタイプに基づいて、ＳＣＧに関するＰＨＲを報告するか、または省略することができる。さらに、たとえば、ＵＥ１１５は、現在のアップリンク送信以外（たとえば、前のアップリンク送信）の何らかの参照に基づいて、仮想ＰＨＲとしてＳＣＧに関するＰＨＲを報告することができ、この場合、非アップリンクサブフレーム内に参照する何のアップリンク送信も存在しないため、生成され、（たとえば、ＰＵＣＣＨ、ＰＵＳＣＨなどの上の）アップリンク送信を参照して送信される実ＰＨＲとは対照的に、サブフレームのタイプはアップリンクフレームではない。
【００３６】
[0046]さらに、たとえば、ＭＣＧおよびＳＣＧが時間的に整合されない（たとえば、時間的に同期しない）場合、ＳＣＧに関するＰＨＲは、少なくともＭＣＧと同じくらい早期に送信されると見なされてよく、これは、ＰＨＲが送信されるＭＣＧタイムライン上の第１のサブフレームと同時にまたはその前に開始するＳＣＧタイムライン上の第２のサブフレームにおいてＳＣＧに関するＰＨＲを送信することを含み得る。しかしながら、ＳＣＧタイムライン上の第２のサブフレームがアップリンクサブフレームでない場合、ＵＥ１１５は、ＳＣＧに関するＰＨＲを省略するか、またはそのＰＨＲをＳＣＧに関する仮想ＰＨＲとして生成する構成され得る。
【００３７】
[0047]図２は、本開示の一態様に従って構成されたｅＮｏｄｅＢ２１０およびＵＥ２５０の例を概念的に示すブロック図である。たとえば、図２に示すように、システム２００の基地局／ｅＮｏｄｅＢ２１０およびＵＥ２５０は、それぞれ、図１における基地局／ｅＮｏｄｅＢのうちの１つおよびＵＥのうちの１つであり得る。ＵＥ２５０は、本明細書でさらに説明するように、コンポーネントキャリア間のタイミング、サブフレーム構成などが異なる場合、ＰＨＲを生成するかどうか、および／またはどのように生成するかを決定することを含み得る、複数のコンポーネントキャリアの各々に関するＰＨＲを生成するための通信構成要素６４０を含み得る。通信構成要素６４０（および／または図６で説明する、それらの構成要素）は、コントローラ／プロセッサ２８０および／または１つまたは複数の他のプロセッサ（たとえば、受信プロセッサ２５８、送信プロセッサ２６４など）に結合されるか、またはさもなければ、それらによって実装されることが可能である。いくつかの態様では、ｅＮｏｄｅＢ２１０は、多重接続性（たとえば、デュアル接続性）、キャリアアグリゲーションなどをサポートし得る。ｅＮｏｄｅＢ２１０は、それのＭＣＧマスタセルのうちの１つをＰＣｅｌｌMCGとして構成されたＭｅＮｏｄｅＢもしくはＭｅＮＢであるか、またはそれのＳＣＧ内のそれのセルのうちの１つをＰＣｅｌｌSCGとして構成されたＳｅＮｏｄｅＢもしくはＳｅＮＢであり得る。いくつかの態様では、ＵＥ２５０も、多重接続性キャリアアグリゲーションをサポートし得る。ＵＥ２５０は、ＰＣｅｌｌMCGおよび／またはＰＣｅｌｌSCGを介してｅＮｏｄｅＢ２１０から構成情報を受信することができる。基地局２１０はアンテナ２３４1〜tを装備され得、ＵＥ２５０はアンテナ２５２1〜rを装備され得、ここにおいて、ｔおよびｒは１以上の整数である。
【００３８】
[0048]基地局２１０において、基地局送信プロセッサ２２０は、基地局データソース２１２からデータを受信し、基地局コントローラ／プロセッサ２４０から制御情報を受信することができる。制御情報は、ＰＢＣＨ、ＰＣＦＩＣＨ、物理ハイブリッド自動再送要求／要求（ＨＡＲＱ）インジケータチャネル（ＰＨＩＣＨ）、ＰＤＣＣＨなどの上で搬送され得る。データは、ＰＤＳＣＨなどの上で搬送され得る。基地局送信プロセッサ２２０は、それぞれデータシンボルおよび制御シンボルを取得するために、データおよび制御情報を処理（たとえば、符号化およびシンボルマッピング）することができる。基地局送信プロセッサ２２０はまた、たとえば、ＰＳＳ、ＳＳＳ、およびセル固有基準信号（ＲＳ：reference signal）のための基準シンボルを生成し得る。基地局送信（ＴＸ）多重入力多重出力（ＭＩＭＯ）プロセッサ２３０は、適用可能な場合、データシンボル、制御シンボル、および／または基準シンボルにおいて空間処理（たとえば、プリコーディング）を実行することができ、基地局変調器／復調器（ＭＯＤ／ＤＥＭＯＤ）２３２1〜tに出力シンボルストリームを提供することができる。各基地局変調器／復調器２３２は、出力サンプルストリームを取得するために、（たとえば、ＯＦＤＭなどのために）それぞれの出力シンボルストリームを処理することができる。各基地局変調器／復調器２３２は、ダウンリンク信号を取得するために、出力サンプルストリームをさらに処理（たとえば、アナログへの変換、増幅、フィルタ処理、およびアップコンバート）することができる。変調器／復調器２３２1〜tからのダウンリンク信号は、それぞれアンテナ２３４1〜tを介して送信され得る。
【００３９】
[0049]ＵＥ２５０において、ＵＥアンテナ２５２1〜rは、基地局２１０からダウンリンク信号を受信することができ、受信信号をそれぞれＵＥ変調器／復調器（ＭＯＤ／ＤＥＭＯＤ）２５４1〜rに提供することができる。各ＵＥ変調器／復調器２５４は、入力サンプルを取得するために、それぞれの受信信号を調整する（たとえば、フィルタ処理し、増幅し、ダウンコンバートし、およびデジタル化する）ことができる。各ＵＥ変調器／復調器２５４はさらに、受信シンボルを取得するために、（たとえば、ＯＦＤＭなどのために）入力サンプルをさらに処理することができる。ＵＥ  ＭＩＭＯ検出器２５６は、すべてのＵＥ変調器／復調器２５４1〜rから受信シンボルを取得し、適用可能な場合、受信シンボルに対してＭＩＭＯ検出を実行し、検出シンボルを提供することができる。ＵＥ受信プロセッサ２５８は、検出シンボルを処理（たとえば、復調、デインターリーブ、および復号）し、ＵＥ２５０の復号されたデータをＵＥデータシンク２６０に提供し、復号された制御情報をＵＥコントローラ／プロセッサ２８０に提供することができる。
【００４０】
[0050]アップリンク上では、ＵＥ２５０において、ＵＥ送信プロセッサ２６４は、ＵＥデータソース２６２から（たとえば、ＰＵＳＣＨのための）データを受信し、処理し得、ＵＥコントローラ／プロセッサ２８０から（たとえば、ＰＵＣＣＨのための）制御情報を受信し、処理することができる。ＵＥ送信プロセッサ２６４はまた、基準信号のための基準シンボルを生成することができる。ＵＥ送信プロセッサ２６４からのシンボルは、適用可能な場合、ＵＥ  ＴＸ  ＭＩＭＯプロセッサ２６６によってプリコーディングされ、（たとえば、ＳＣ−ＦＤＭなどのために）ＵＥ変調器／復調器２５４1〜rによってさらに処理され、基地局２１０に送信され得る。基地局２１０において、ＵＥ２５０からのアップリンク信号は、基地局アンテナ２３４によって受信され、基地局変調器／復調器２３２によって処理され、適用可能な場合は基地局ＭＩＭＯ検出器２３６によって検出され、ＵＥ２５０によって送られた復号されたデータと制御情報とが取得するために、基地局受信プロセッサ２３８によってさらに処理され得る。基地局受信プロセッサ２３８は、復号されたデータを基地局データシンク２４６に提供し、復号された制御情報を基地局コントローラ／プロセッサ２４０に提供することができる。
【００４１】
[0051]基地局コントローラ／プロセッサ２４０およびＵＥコントローラ／プロセッサ２８０は、それぞれ、基地局２１０およびＵＥ２５０における動作を指示し得る。ＵＥ２５０におけるＵＥコントローラ／プロセッサ２８０ならびに／または他のプロセッサおよびモジュールはまた、たとえば、図６に示された機能ブロック、および／または本明細書で説明する技法のための他のプロセス（たとえば、図７、図８、および図１０に示されたフローチャート、図９に示された通信タイムラインなど）を実行するか、またはその実行を指示し得る。いくつかの態様では、これらの機能ブロックおよび／またはプロセスの実行の少なくとも一部分は、ＵＥコントローラ／プロセッサ２８０内のブロック２８１によって実行され得る。基地局メモリ２４２およびＵＥメモリ２８２は、それぞれ、基地局２１０およびＵＥ２５０のためのデータおよびプログラムコードを記憶することができる。たとえば、ＵＥメモリ２８２は、基地局２１０および／または別の基地局によって提供される多重接続性ワイヤレス通信のための構成情報を記憶することができる。スケジューラ２４４は、ダウンリンクおよび／またはアップリンク上でのデータ送信のためにＵＥ２５０をスケジュールするために使用され得る。
【００４２】
[0052]一構成では、ＵＥ２５０は、第１のアクセスポイントによって構成される少なくとも第１のセルによってサービスさせる第１の接続を確立するための手段を含み得る。ＵＥ２５０は、第２のアクセスポイントによって構成される少なくとも第２のセルによってサービスさせる第２の接続を確立するための手段を含み得る。ＵＥ２５０は、第１のセル内でアップリンク通信のために、第１のセルの第１のサブフレーム内で第１の電力ヘッドルームを報告することを決定するための手段をさらに含み得る。ＵＥ２５０はまた、第１のセルの第１のサブフレームの第１のタイプが第２のセルの第２のサブフレームの第２のタイプと異なるとき、第２のセルの第２のサブフレーム内の第２電力ヘッドルームに関する報告構成を決定するための手段を含み得る。一態様では、上述の手段は、上述の手段によって具陳される機能を実施するように構成された、ＵＥコントローラ／プロセッサ２８０、ＵＥメモリ２８２、ＵＥ受信プロセッサ２５８、ＵＥ  ＭＩＭＯ検出器２５６、ＵＥ変調器／復調器２５４、およびＵＥアンテナ２５２であり得る。別の態様では、上述の手段は、上述の手段によって具陳される機能を実行するように構成されたモジュール、構成要素、または任意の装置であり得る。そのようなモジュール、構成要素、または装置の例は、図６に関して説明され得る。
【００４３】
[0053]図３は、本開示の一態様による、ＵＥにおけるキャリアのアグリゲーションおよび／または接続を概念的に示すブロック図である。アグリゲーションは、１つまたは複数のコンポーネントキャリア１からＮ（ＣＣ1〜ＣＣN）を使用してｅＮｏｄｅＢ３０５−ａと、および／または１つまたは複数のコンポーネントキャリアＭからＰ（ＣＣM〜ＣＣP）を使用して２次ｅＮＢ３０５−ｂと通信することができる、マルチモードＵＥ３１５を含むシステム３００内で発生し得る。たとえば、ｅＮｏｄｅＢ３０５−ａおよび／または２次ｅＮＢ３０５−ｂは、ＡＰ、フェムトセル、ピコセルなどを含み得る。ＵＥ３１５は、本明細書でさらに説明するように、コンポーネントキャリア間のタイミング、サブフレーム構成などが異なる場合、ＰＨＲを生成するかどうか、および／またはどのように生成するかを決定することを含み得る、複数のコンポーネントキャリアの各々に関するＰＨＲを生成するための通信構成要素６４０を含み得る。ＵＥ３１５は、この例では、２つ以上の無線アクセス技術（ＲＡＴ）をサポートするマルチモードＵＥであり得る。たとえば、ＵＥ３１５は、少なくともＷＷＡＮ無線アクセス技術（たとえば、ＬＴＥ）および／またはＷＬＡＮ無線アクセス技術（たとえば、Ｗｉ−Ｆｉ）をサポートし得る。マルチモードＵＥはまた、本明細書で説明するように、多重接続性キャリアアグリゲーションをサポートし得る。ＵＥ３１５は、図１、図２、図３、図４、図５、図６のＵＥのうちの１つの一例であり得る。ｅＮｏｄｅＢ３０５−ａおよび／または２次ｅＮＢ３０５−ｂは、図１、図２、図３、図４、図５、図６のｅＮｏｄｅＢまたは基地局のうちの１つの一例であり得る。図３には、１つのＵＥ３０５、１つのｅＮｏｄｅＢ３０５−ａ、および１つの２次ｅＮＢ３０５−ｂのみが示されているが、システム３００は、任意の数のＵＥ３０５、ｅＮｏｄｅＢ３０５−ａ、および／または２次ｅＮＢ３０５−ｂを含むことができることを諒解されよう。一例では、ＵＥ３１５は、１つまたは複数のＬＴＥコンポーネントキャリア３３０−１から３３０−Ｎを介して１つのｅＮＢ３０５−ａと通信しながら、別の１つまたは複数のコンポーネントキャリア３３０−Ｍから３３０−Ｐを介して別のｅＮＢ３０５−ｂと通信することができる。
【００４４】
[0054]ｅノードＢ３０５−ａは、ＬＴＥコンポーネントキャリアＣＣ1からＣＣN３３０上の順方向（ダウンリンク）チャネル３３２−１から３３２−Ｎを介してＵＥ３１５に情報を送信することができる。さらに、ＵＥ３１５は、ＬＴＥコンポーネントキャリアＣＣ1からＣＣN上の逆方向（アップリンク）チャネル３３４−１から３３４−Ｎを介してｅＮｏｄｅＢ３０５−ａに情報を送信することができる。同様に、ｅＮｏｄｅＢ３０５−ｂは、ＬＴＥコンポーネントキャリアＣＣMからＣＣP３３０上の順方向（ダウンリンク）チャネル３３２−ｍから３３２−ｐを介してＵＥ３１５に情報を送信することができる。さらに、ＵＥ３１５は、ＬＴＥコンポーネントキャリアＣＣMからＣＣP３３０上の逆方向（アップリンク）チャネル３３４−ｍから３３４−ｐを介してｅＮｏｄｅＢ３０５−ａに情報を送信することができる。
【００４５】
[0055]図３、ならびに開示される実施形態のいくつかに関連する他の図の様々なエンティティを説明する際に、説明の目的で、３ＧＰＰ  ＬＴＥまたはＬＴＥ−Ａワイヤレスネットワークと関連する名称が使用される。ただし、システム３００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００４６】
[0056]マルチキャリア動作中、異なるＵＥ３１５に関連するダウンリンク制御情報（ＤＣＩ）メッセージは、複数のコンポーネントキャリア上で搬送され得る。たとえば、ＰＤＣＣＨ上のＤＣＩは、物理ダウンリンク共有チャネル（ＰＤＳＣＨ：physical downlink shared channel）送信のためにＵＥ３１５によって使用されるように構成された同じコンポーネントキャリア上に含まれ得る（すなわち、同一キャリアシグナリング）。代替または追加として、ＤＣＩは、ＰＤＳＣＨ送信ために使用されるターゲットコンポーネントキャリアとは異なるコンポーネントキャリア上で搬送され得る（すなわち、クロスキャリアシグナリング）。いくつかの実装形態では、半静的に有効化され得るキャリアインジケータフィールド（ＣＩＦ）は、ＰＤＳＣＨ送信のためにターゲットキャリア以外のキャリアからのＰＤＣＣＨ制御シグナリングの送信を容易にするために、一部または全部のＤＣＩフォーマット内に含まれ得る（クロスキャリアシグナリング）。
【００４７】
[0057]本例では、ＵＥ３１５は、１つのｅノードＢ３０５−ａからデータを受信することができる。しかしながら、セルエッジ上のユーザは、データレートを制限する場合がある高いセル間干渉を経験する場合がある。マルチフローは、ＵＥが同時に２つのｅＮｏｄｅＢ３０５−ａおよび３０５−ｂからデータを受信することを可能にする。いくつかの態様では、２つのｅＮｏｄｅＢ３０５−ａは、コロケートされないことがあり、多重接続性キャリアアグリゲーションをサポートするように構成され得る。マルチフローは、ＵＥが同時に２つの隣接するセル内の２つのセルタワーの範囲内にあるとき（以下の図５参照）、２つのまったく別個のストリーム内で２つのｅＮｏｄｅＢ３０５−ａ／３０５−ｂからのデータを送信および受信することによって動作する。ＵＥは、デバイスがいずれかのｅＮｏｄｅＢの到達範囲のエッジ上にあるとき、同時に２つのｅＮｏｄｅＢ３０５−ａおよび／または３０５−ｂと通話する。同時に２つの異なるｅＮｏｄｅＢからモバイルデバイスに２つの独立データストリームをスケジューリングすることによって、マルチフローは、ワイヤレス通信ネットワークにおける不均一なローディングを活用する。これは、セルエッジユーザ経験を向上させるのを助けるとともに、ネットワーク容量を増大させる。一例では、セルエッジにおけるユーザ向けのスループットデータ速度が倍になり得る。いくつかの態様では、マルチフローはまた、ＵＥがＷＷＡＮタワー（たとえば、セルラータワー）とＷＬＡＮタワー（たとえば、ＡＰ）との到達範囲内にあるとき、両方のタワーに同時に通話するＵＥの能力を指すことがある。そのような場合、タワーは、タワーがコロケートされないとき、複数の接続を通してキャリアアグリゲーションをサポートするように構成され得る。
【００４８】
[0058]図４は、本開示の一態様による、ＵＥ４１５とＰＤＮ４４０（たとえば、インターネットまたはインターネットにアクセスするための１つまたは複数の構成要素）との間のデータ経路４４５および４５０の一例を概念的に示すブロック図である。データ経路４４５、４５０は、異なる無線アクセス技術からのデータをアグリゲートするためのワイヤレス通信システム４００のコンテキスト内で示されている。図２のシステム２００は、ワイヤレス通信システム４００の部分の一例であり得る。ワイヤレス通信システム４００は、マルチモードＵＥ４１５と、ｅＮｏｄｅＢ４０５と、（たとえば、Ｘ２インターフェースに基づいて）バックホールリンク４３８を介してｅＮｏｄｅＢ４０５に結合され得る２次ｅＮｏｄｅＢ４０６と、発展型パケットコア（ＥＰＣ）４８０と、ＰＤＮ４４０と、ピアエンティティ４５５とを含み得る。ＵＥは、本明細書でさらに説明するように、コンポーネントキャリア間のタイミング、サブフレーム構成などが異なる場合、ＰＨＲを生成するかどうか、および／またはどのように生成するかを決定することを含み得る、複数のコンポーネントキャリアの各々に関するＰＨＲを生成するための通信構成要素６４０を含み得る。マルチモードＵＥ４１５は、多重接続性（たとえば、デュアル接続性）キャリアアグリゲーションをサポートするように構成され得る。ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４とを含み得る。ホーム加入者システム（ＨＳＳ）４３５は、ＭＭＥ４３０と通信可能に結合され得る。ＵＥ４１５は、ＬＴＥ無線機４２０とＬＴＥ無線機４２５とを含み得る。これらの要素は、前のまたは後の図を参照しながら上で説明したそれらのカウンターパートのうちの１つまたは複数の態様を表し得る。たとえば、ＵＥ４１５は、図１、図２、図３、図５、図６におけるＵＥの一例であり得、ｅＮｏｄｅＢ４０５は、図１、図２、図３、図５、図６のｅＮｏｄｅＢ／基地局の一例であり得、ｅＮＢ４０６は、図３の２次ｅＮＢ３０５−ｂの一例であり得、および／またはＥＰＣ４８０は、図１のコアネットワークの一例であり得る。図４におけるｅＮｏｄｅＢ４０５および／または４０６は、互いにコロケートされないことがあるか、またはさもなければ、高速通信していないことがある。加えて、一例では、ｅＮｏｄｅＢ４０５および４０６は、異なるＥＰＣ４８０と通信することができる。
【００４９】
[0059]再び図４を参照すると、ｅＮｏｄｅＢ４０５および／または４０６は、（たとえば、１つまたは複数のｅＮｏｄｅＢを有する）１つまたは複数のＬＴＥコンポーネントキャリアのアグリゲーションを使用して、ＵＥ４１５にＰＤＮ４４０へのアクセスを提供することが可能であり得る。したがって、ＵＥ４１５は、デュアル接続性でのキャリアアグリゲーションを伴い得、ここで、一方の接続は１つのネットワークエンティティ（ｅＮｏｄｅＢ４０５）に対してであり、他方の接続は異なるネットワークエンティティ（ｅＮｏｄｅＢ４０６）に対してである。ＵＥ４１５は、複数のＮｏｄｅＢとの多重接続性、ｅＮｏｄｅＢの複数のセルとのキャリアアグリゲーションなどを提供するために、ＥＰＣ４０８を横断するか、またはＰＤＮ４４０にアクセスしない追加の通信経路４４５、４５０を介して、追加のｅＮｏｄｅＢ４０５および／または４０６と通信することができることを諒解されたい。ＰＤＮ４４０へのこのアクセスを使用して、ＵＥ４１５は、ピアエンティティ４５５と通信することができる。ｅＮｏｄｅＢ４０５および／または４０６は、（たとえば、データ経路４４５を通して）発展型パケットコア４８０を通してＰＤＮ４４０へのアクセスを提供することができ、ｅＮｏｄｅＢ４０６は、（たとえば、データ経路４５０を通して）ＰＤＮ４４０への直接アクセスを提供することができる。
【００５０】
[0060]ＭＭＥ４３０は、ＵＥ４１５とＥＰＣ４８０との間のシグナリングを処理する制御ノードであり得る。ＭＭＥ４３０は、ベアラおよび接続管理を行うことができる。ＭＭＥ４３０は、したがって、ＵＥ４１５のためのアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅＮｏｄｅＢ４０５および４０６と通信することができる。ＭＭＥ４３０は、ＵＥ４１５をさらに認証し、ＵＥ４１５との非アクセス層（ＮＡＳ：Non-Access Stratum）シグナリングを実装することができる。
【００５１】
[0061]ＨＳＳ４３５は、機能の中でも、加入者データを記憶し、ローミング制限を管理し、加入者のためのアクセス可能アクセスポイント名（ＡＰＮ：access point name）を管理し、加入者をＭＭＥ４３０に関連付け得る。ＨＳＳ４３５は、３ＧＰＰ団体によって規格化された発展型パケットシステム（ＥＰＳ）アーキテクチャによって定義されたＳ６ａインターフェースを介してＭＭＥ４３０と通信することができる。
【００５２】
[0062]ＬＴＥを介して送信されるすべてのユーザＩＰパケットは、ｅＮｏｄｅＢ４０５および／または４０６を通して、Ｓ５シグナリングインターフェースを介してＰＤＮゲートウェイ４３４に接続され、Ｓ１１シグナリングインターフェースを介してＭＭＥ４３０に接続され得るＳＧＷ４３２に転送され得る。ＳＧＷ４３２は、ユーザプレーン内に存在し、ｅＮｏｄｅＢ間ハンドオーバおよび異なるアクセス技術間のハンドオーバのためのモビリティアンカーとして働き得る。ＰＤＮゲートウェイ４３４は、ＵＥのＩＰアドレス割り当てならびに他の機能を提供し得る。
【００５３】
[0063]ＰＤＮゲートウェイ４３４は、ＳＧｉシグナリングインターフェースを介して、ＰＤＮ４４０などの１つまたは複数の外部パケットデータネットワークへの接続性を提供することができる。ＰＤＮ４４０は、インターネット、イントラネット、ＩＰマルチメディアサブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【００５４】
[0064]本例では、ＵＥ４１５とＥＰＣ４８０との間のユーザプレーンデータは、トラフィックがＬＴＥリンクの経路４４５を介して流れるのか、経路４５０を介して流れるのかにかかわらず、１つまたは複数のＥＰＳベアラの同じセットを横断し得る。１つまたは複数のＥＰＳベアラのセットに関係するシグナリングまたは制御プレーンデータは、ｅＮｏｄｅＢ４０５および／または４０６を経由して、ＵＥ４１５のＬＴＥ無線機４２０とＥＰＣ４８０のＭＭＥ４３０との間で送信され得る。
【００５５】
[0065]ＬＴＥに関して図４の態様について説明したが、アグリゲーションおよび／または複数の接続に関する同様の態様はまた、ＵＭＴＳまたは他の同様のシステムもしくはネットワークワイヤレス通信無線技術に関して実装され得る。
【００５６】
[0066]図５は、本開示の一態様による、多重接続性キャリアアグリゲーションを概念的に示す図である。ワイヤレス通信システム５００は、ＵＥ５１５にサービスするように構成され得る、マスタセルグループまたはＭＣＧ（または、ＰＣＧ）と呼ばれるセルのセットまたはグループを有するマスタｅＮｏｄｅＢ５０５−ａ（ＭｅＮｏｄｅＢまたはＭｅＮＢ）を含み得る。ＭＣＧは、１つの１次セル（ＰＣｅｌｌMCG）５１０−ａと、１つまたは複数の２次セル５１０−ｂ（１つのみが示されている）とを含み得る。ワイヤレス通信システム５００はまた、ＵＥ５１５にサービスするように構成され得る、２次セルグループまたはＳＣＧと呼ばれるセルのセットまたはグループを有する２次ｅＮｏｄｅＢ５０５−ｂ（ＳｅＮｏｄｅＢまたはＳｅＮＢ）を含み得る。ＳＣＧは、１つの１次セル（ＰＣｅｌｌSCG）５１２−ａと、１つまたは複数の２次セル５１２−ｂ（１つのみが示されている）とを含み得る。また、多重接続性ワイヤレス通信（たとえば、デュアル接続性）のためにキャリアアグリゲーションをサポートするＵＥ５１５が示されている。ＵＥ５１５は、通信リンク５２５−ａを介してＭｅＮｏｄｅＢ５０５−ａ、または関係するＰＣｅｌｌMCGと通信し、通信リンク５２５−ｂを介してＳｅＮｏｄｅＢ５０５−ｂ、または関係するＰＣｅｌｌSCGと通信することができる。加えて、ＵＥ５１５は、本明細書でさらに説明するように、コンポーネントキャリア間のタイミング、サブフレーム構成などが異なる場合、ＰＨＲを生成するかどうか、および／またはどのように生成するかを決定することを含み得る、複数のコンポーネントキャリアの各々に関するＰＨＲを生成するための通信構成要素６４０を含み得る。
【００５７】
[0067]一例では、ＵＥ５１５は、同じｅＮｏｄｅＢからのコンポーネントキャリアをアグリゲートすることができるか、またはコロケートされたもしくはコロケートされないｅＮｏｄｅＢからのコンポーネントキャリアをアグリゲートすることができる。そのような例では、使用されている様々なセル（たとえば、異なるコンポーネントキャリア（ＣＣ））は、それらが、同じｅＮｏｄｅＢか、または制御情報を通信することができるｅＮｏｄｅＢのいずれかによって扱われるので、容易に協調させられ得る。図５の例のように、ＵＥ５１５が、コロケートされない２つのｅＮｏｄｅＢと通信しているときにキャリアアグリゲーションを実行するとき、キャリアアグリゲーション動作は、様々なネットワーク状態により異なり得る。この場合、２次ｅＮｏｄｅＢ５０５−ｂにおいて１次セル（ＰＣｅｌｌSCG）を確立することは、２次ｅＮｏｄｅＢ５０５−ｂが１次ｅＮｏｄｅＢ５０５−ａとコロケートされなくても、ＵＥ５１５において行われるべき適切な構成および制御を可能にし得る。
【００５８】
[0068]図５の例では、キャリアアグリゲーションは、ＭｅＮｏｄｅＢ５０５−ａのＰＣｅｌｌMCGによるいくつかの機能を伴い得る。たとえば、ＰＣｅｌｌMCGは、いくつかの例を挙げれば、物理アップリンク制御チャネル（ＰＵＣＣＨ）、競合ベースのランダムアクセス制御チャネル（ＲＡＣＨ）、および半永続的スケジューリングなど、いくつかの機能を処理することができる。コロケートされないｅＮｏｄｅＢへのデュアル接続性または多重接続性を用いたキャリアアグリゲーションは、キャリアアグリゲーションが別の方法で実行される様式に対していくつかの拡張および／または変更を行わなければならないことを伴い得る。拡張および／または変更のうちのいくつかは、上で説明したように、ＵＥ５１５がＭｅＮｏｄｅＢ５０５−ａとＳｅＮｏｄｅＢ５０５−ｂとに接続されることを伴い得る。他の特徴は、たとえば、タイマー調整グループ（ＴＡＧ）にｅＮｏｄｅＢのうちの１つのｅＮｏｄｅＢのセルを備えさせること、ＳｅＮｏｄｅＢ５０５−ｂ上で可能にされる競合ベースおよび競合なしランダムアクセス（ＲＡ）と、ＭｅＮｏｄｅＢ５０５−ａのためのおよびＳｅＮｏｄｅＢ５０５−ｂに対する別個の間欠受信（ＤＲＸ）手順とを有すること、ＵＥ５１５に、バッファステータス報告（ＢＳＲ）を１つまたは複数のベアラ（たとえば、ｅＮｏｄｅＢ固有ベアラまたはスプリットベアラ）がサービスされるｅＮｏｄｅＢに対して送らせること、ならびに２次ｅＮｏｄｅＢ５０５−ｂ内のＰＣｅｌｌSCGに関して電力ヘッドルーム報告（ＰＨＲ）、電力制御、半永続的スケジューリング（ＳＰＳ）、および論理チャネル優先度付けのうちの１つまたは複数を可能にすることを含み得る。上で説明した拡張および／または修正、ならびに本開示で提供される他の拡張および／または修正は、例示のためであり、限定ではない。
【００５９】
[0069]デュアル接続性におけるキャリアアグリゲーションの場合、ＭｅＮｏｄｅＢ５０５−ａとＳｅＮｏｄｅＢ５０５−ｂとの間で異なる機能は分割され得る。たとえば、異なる機能は、ＭｅＮｏｄｅＢ５０５−ａとＳｅＮｏｄｅＢ５０５−ｂとの間で静的に分割されるか、または１つまたは複数のネットワークパラメータに基づいてＭｅＮｏｄｅＢ５０５−ａとＳｅＮｏｄｅＢ５０５−ｂとの間で動的に分割され得る。一例では、ＭｅＮｏｄｅＢ５０５−ａは、ＰＣｅｌｌMCGを介して、限定はしないが、初期構成、セキュリティ、システム情報、および／または無線リンク障害（ＲＬＦ）に関する機能など、（たとえば、メディアアクセス制御（ＭＡＣ）レイヤの上の）上位レイヤ機能を実行することができる。図５の例において説明するように、ＰＣｅｌｌMCGは、ＭＣＧに属するＭｅＮｏｄｅＢ５０５−ａのセルのうちの１つとして構成され得る。ＰＣｅｌｌMCGは、ＭＣＧ内の下位レイヤ機能（たとえば、ＭＡＣ／ＰＨＹレイヤ）を提供するように構成され得る。
【００６０】
[0070]一例では、ＳｅＮｏｄｅＢ５０５−ｂは、ＳＣＧのための下位レイヤ機能（たとえば、ＭＡＣ／ＰＨＹレイヤ）の構成情報を提供することができる。構成情報は、たとえば、１つまたは複数の無線リソース制御（ＲＲＣ）メッセージとしてＰＣｅｌｌSCGによって提供され得る。ＰＣｅｌｌSCGは、ＳＣＧ内のセルのうちの最低セルインデックス（たとえば、識別子またはＩＤ）を有するように構成され得る。たとえば、ＰＣｅｌｌSCGを介してＳｅノードＢ５０５−ｂによって実行される機能のうちのいくつかは、ＰＵＣＣＨを搬送すること、ＰＣｅｌｌSCGのＤＲＸ構成に従うようにＳＣＧ内のセルを構成し、ＳｅＮｏｄｅＢ５０５−ｂ上の競合ベースおよび競合なしランダムアクセスのためのリソースを構成すること、ＰＵＣＣＨのための送信電力制御（ＴＰＣ）コマンドを有するダウンリンク（ＤＬ）許可を搬送すること、ＳＣＧ内の他のセルのためのＰＣｅｌｌSCGに基づいて経路損失を推定すること、ＳＣＧに共通探索空間を提供すること、およびＵＥ５１５にＳＰＳ構成情報を提供することを含み得る。
【００６１】
[0071]いくつかの態様では、ＰＣｅｌｌMCGは、たとえば、セキュリティ、ネットワークへの接続、初期接続、および／または無線リンク障害などの上位レベル機能をＵＥ５１５に提供するように構成され得る。ＰＣｅｌｌMCGは、ＭＣＧ内のセルのための物理アップリンク制御チャネル（ＰＵＣＣＨ）を搬送すること、ＭＣＧのうちの最低セルインデックスを含めること、ＭＣＧセルが同じ間欠受信（ＤＲＸ）構成を有することを可能にすること、ＭｅＮｏｄｅＢ５０５−ａ上で競合ベースランダムアクセスと競合なしランダムアクセスの一方または両方のためのランダムアクセスリソースを構成すること、ダウンリンク許可がＰＵＣＣＨのための送信電力制御（ＴＰＣ）コマンドを搬送することを可能にすること、ＭＣＧ内のセルのための経路損失推定を可能にすること、ＭｅＮｏｄｅＢ５０５−ａのための共通探索空間を構成すること、および／または半永続的スケジューリングを構成することを行うように構成され得る。
【００６２】
[0072]いくつかの態様では、ＰＣｅｌｌSCGは、ＳＣＧ内のセルのためのＰＵＣＣＨを搬送すること、ＳＣＧのうちの最低セルインデックスを含めること、ＳＣＧセルが同じＤＲＸ構成を有することを可能にすること、ＳｅＮｏｄｅＢ５０５−ｂ上で競合ベースランダムアクセスと競合なしランダムアクセスの一方または両方のためのランダムアクセスリソースを構成すること、ダウンリンク許可がＰＵＣＣＨのためのＴＰＣコマンドを搬送することを可能にすること、ＳＣＧ内のセルのための経路損失推定を可能にすること、ＳｅＮｏｄｅＢ５０５−ｂのための共通探索空間を構成すること、および／または半永続的スケジューリングを構成することを行うように構成され得る。
【００６３】
[0073]図５の例に戻ると、ＵＥ５１５は、ＭｅＮｏｄｅＢ５０５−ａおよびＳｅＮｏｄｅＢ５０５−ｂに関する並列ＰＵＣＣＨおよび物理アップリンク共有チャネル（ＰＵＳＣＨ）構成をサポートし得る。場合によっては、ＵＥ５１５は、両方のキャリアグループに適用可能であり得る構成（たとえば、ＵＥ５１５ベース）を使用することができる。これらのＰＵＣＣＨ／ＰＵＳＣＨ構成は、たとえば、ＲＲＣメッセージを通して提供され得る。
【００６４】
[0074]ＵＥ５１５は、肯定応答（ＡＣＫ）／否定応答（ＮＡＣＫ）およびチャネル品質インジケータ（ＣＱＩ）の同時送信ならびにＭｅＮｏｄｅＢ５０５−ａおよびＳｅＮｏｄｅＢ５０５−ｂに関するＡＣＫ／ＮＡＣＫ／サウンディング基準信号に関する並列構成もサポートし得る。場合によっては、ＵＥ５１５は、両方のキャリアグループに適用可能であり得る構成（たとえば、ＵＥベースおよび／またはＭＣＧもしくはＳＣＧベース）を使用することができる。これらの構成は、たとえば、ＲＲＣメッセージを通して提供され得る。
【００６５】
[0075]図６は、本開示の一態様に従って構成されたＵＥ６１５および構成要素の一例を概念的に示すブロック図６００である。本明細書において図６と併せて説明する図７、図８、および図１０は、本開示の態様による例示的な方法７００を示す。図７、図８、および図１０において以下で説明する動作が特定の順序でおよび／または例示的な構成要素によって実行されるものとして提示されているが、実装形態に応じて、行為の順序および行為を実行する構成要素が変更され得ることを理解されたい。さらに、以下の行為または機能が、特別にプログラムされたプロセッサ、特別にプログラムされたソフトウェアもしくはコンピュータ可読媒体を実行するプロセッサによって、または説明する行為もしくは機能を実行することが可能なハードウェア構成要素および／またはソフトウェア構成要素の任意の他の組合せによって実行され得ることを理解されたい。
【００６６】
[0076]図６を参照すると、図６００の基地局／ｅＮｏｄｅＢ６０５−ａ（ＰＣｅｌｌMCGを有するＭｅＮｏｄｅＢ）、基地局／ｅＮｏｄｅＢ６０５−ｂ（ＰＣｅｌｌSCGを有するＳｅＮｏｄｅＢ）、およびＵＥ６１５は、様々な図に記載されている基地局／ｅＮｏｄｅＢ（または、ＡＰ）およびＵＥのうちの１つであり得る。ＭｅＮｏｄｅＢ６０５−ａ、またはそれに関係するＰＣｅｌｌMCG、およびＵＥ６１５は、通信リンク６２５−ａを介して通信することができる。ＳｅＮｏｄｅＢ６０５−ｂ、またはそれに関係するＰＣｅｌｌSCG、およびＵＥ６１５は、通信リンク６２５−ｂを介して通信することができる。一例では、上で説明したように、多重接続性において、ＭｅＮｏｄｅＢ６０５−ａはＰＣｅｌｌMCGとして構成され得、ＳｅＮｏｄｅＢ６０５−ｂは、ＰＣｅｌｌSCGとして構成され得る。別の例では、ＭｅＮｏｄｅＢ６０５−ａおよびＳｅＮｏｄｅＢ６０５−ｂは、通信リンク６２５−ａおよび６２５−ｂを介して、１つまたは複数のセル内でキャリアアグリゲーションを提供する同じｅＮｏｄｅＢであり得る。いずれの場合も、ＵＥ６１５は、両方のリンクに関する報告が一緒に送信されるように、通信リンク６２５−ａおよび６２５−ｂを介して、複数のＰＨＲを送信するように構成され得る。通信リンク６２５−ａ、６２５−ｂの各々は、図１の通信リンク１２５の一例であり得る。通信リンク６２５−ａおよび６２５−ｂは、異なるフレーム構造、異なるサブフレーム構成、異なるタイミングまたはタイミングオフセットなどを有するように構成され得る。この点について、ＵＥ６１５がアップリンクサブフレーム内で通信リンク６２５−ａに関するＰＨＲを送信するように構成されるとき、同じ時間期間の間の通信リンク６２５−ｂを介する対応するサブフレームはアップリンクサブフレームであり得ない（たとえば、ダウンリンクまたは特殊サブフレームであり得る）。ＵＥ６１５は、本明細書でさらに説明するように、そのようなシナリオを処理するための報告構成を決定することができる。
【００６７】
[0077]異なるフレーム構造、サブフレーム構成、タイミングなどを有するアグリゲートキャリアをもたらし得るＬＴＥ概念の例について下で説明する。しかしながら、異なるフレーム構造、サブフレーム構成、タイミングなどを有するキャリアに関するＰＨＲを報告するための、本明細書で説明する概念は、下で説明するＬＴＥまたは例示的なＬＴＥ概念に限定されないことを諒解されたい。たとえば、ｅＮｏｄｅＢ６０５−ａおよび／または６０５−ｂがＬＴＥ  ｅＮｏｄｅＢである場合、ｅＮｏｄｅＢ６０５−ａおよび６０５−ｂは、アップリンクおよびダウンリンク通信のために別個の周波数リソースが提供されるＦＤＤフレーム構造、または各サブフレームが、アップリンクまたはダウンリンク通信のいずれかのために構成されるが、同じ周波数リソースを使用し得るＴＤＤフレーム構造を利用することができる。たとえば、ＬＴＥ−ＴＤＤでは、下で示すように、７つのダウンリンクおよびアップリンクサブフレーム構成がサポートされ得る。
【００６８】
【表１】
0006456981.tif 000002
【００６９】
上の表では、２つの切替え周期性、５ｍｓおよび１０ｍｓがある。５ｍｓ切替え周期性サブフレーム構成（０、１、２、および６）は各々、ダウンリンク「Ｄ」サブフレームからアップリンク「Ｕ」サブフレームへの切替えの間に発生する２つの特殊「Ｓ」サブフレームを有する。１０ｍｓ切替え周期性サブフレーム構成（３、４、および５）は各々、１つの特殊「Ｓ」サブフレームを有する。特殊サブフレームは、ダウンリンクからアップリンクに通信リソースを切り替えるための時間を可能にするために定義される。たとえば、特殊サブフレームは、ダウンリンクパイロット時間スロットと、それに続いて、その間に、送信のための通信がスケジュールされないガード期間と、それに続いて、アップリンクパイロット時間スロットとを含み得る。
【００７０】
[0078]加えて、ＬＴＥのいくつかのバージョンでは、ＵＥは、複数のアグリゲートコンポーネントキャリア（ＣＣ）で構成され得、この場合、ＣＣはＦＤＤまたはＴＤＤとして構成され得、この場合、説明したように、ＣＣは、同じまたは異なるセル、同じまたは異なるｅＮｏｄｅＢを有し得る。別の例では、ＣＣがＴＤＤとして構成される場合、ＣＣは、各々、上の表に示したように、異なるＴＤＤサブフレーム構成を利用することができる。１つのＣＣは、ＵＥベースで上位レイヤによって半静的に構成され得る１次ＣＣ（ＰＣＣ）として設計され、もう１つのＣＣは２次ＣＣ（ＳＣＣ）である。この構成では、ＡＣＫ／ＮＡＣＫ、ＣＱＩ、およびスケジューリング要求（ＳＲ）などの制御データは、ＰＵＣＣＨ上で送信されるとき、ＰＣＣ上で送信され得る。最高で５：１のダウンリンクからアップリンクＣＣへのマッピングが可能であり得、１つのアップリンクＣＣは、最高で５個のダウンリンクＣＣまでＰＵＣＣＨ上でＡＣＫ／ＮＡＣＫ送信をサポートし得る。
【００７１】
[0079]別の例では、ＬＴＥのバージョンにおいて、１つまたは複数の構成を条件に、ＣＡを含めて、ＦＤＤおよびＴＤＤの共同演算、多重接続性などがサポートされ得る。たとえば、ＦＤＤおよびＴＤＤ  ＣＡをサポートするＵＥは、レガシーＦＤＤシングルモードキャリアとレガシーＴＤＤシングルモードキャリアの両方にアクセスすることが可能であり得、レガシーＦＤＤ  ＵＥ、ならびにＦＤＤ  ＣＡおよびＴＤＤ  ＣＡをサポートするＵＥは、共同オペレータＦＤＤおよびＴＤＤネットワークの一部であるＦＤＤキャリアにキャンプオンおよび接続することができ、レガシーＴＤＤ  ＵＥ、およびＦＤＤ  ＣＡおよびＴＤＤ  ＣＡをサポートするＵＥは、共同オペレータＦＤＤおよびＴＤＤネットワークの一部であるＴＤＤキャリアにキャンプオンおよび接続することができ、ならびに／または新しいＴＤＤアップリンク／ダウンリンク構成は導入されなくてよい。
【００７２】
[0080]さらに、ＬＴＥのバージョンにおいて、場合によっては、実際のトラフィック要求に基づいてＴＤＤサブフレーム構成を動的に適応するために、拡張干渉管理およびトラフィック適応（ｅＩＭＴＡ）が定義される。たとえば、短い持続時間の間に、ｅＮｏｄｅＢがダウンリンク上で大きなデータバーストを必要とする場合、ｅＮｏｄｅＢによって利用されるサブフレーム構成は、たとえば、上の表の構成１（６ダウンリンクサブフレーム対４アップリンクサブフレーム）から構成５（９ダウンリンクサブフレーム対１アップリンクサブフレーム）に変更され得る。ＴＤＤサブフレーム構成の適応は、この点について、１０ｍｓから６４０ｍｓ程度になると予想される。加えて、適応は、２つ以上の近接するセルが異なるダウンリンクおよびアップリンクサブフレームを有するとき、ダウンリンクとアップリンクの両方への干渉を生じ得る。さらに、適応は、ダウンリンクおよびアップリンクＨＡＲＱタイミング管理におけるいくらかの複雑さを生じ得る。たとえば、７つのＴＤＤサブフレーム構成の各々は、（ＨＡＲＱ演算効率の点で）各構成に関して最適化され得るその独自のＨＡＲＱタイミングを有し得る。たとえば、ＰＤＳＣＨから対応するＡＣＫ／ＮＡＣＫへのタイミングは、異なるＴＤＤサブフレーム構成に関して異なり得る。加えて、７つの（利用可能である場合、それ以上の）構成間の動的な切替えは、現在のダウンリンク／アップリンクＨＡＲＱタイミングが維持される場合、ダウンリンクまたはアップリンク送信のいくつかに関して逃されたＡＣＫ／ＮＡＣＫ送信機会が存在し得ることを暗示し得る。
【００７３】
[0081]ＵＥグループ共通ＰＤＣＣＨまたは拡張ＰＤＣＣＨによる再構成の明示的なレイヤ１（ＰＨＹ）シグナリング、明示的な再構成ＤＣＩ（たとえば、ｅＩＭＴＡ−ＲＮＴＩ）に関する新しい無線ネットワーク一時識別子（ＲＮＴＩ）の導入、既存の７つのＴＤＤサブフレーム構成のうちの１つを明示的に表示するための再構成ＤＣＩ内の専用ビットの数（たとえば、３）、ＰＣｅｌｌの少なくともＰＤＣＣＨ共通探索空間（ＣＳＳ）内の再構成ＤＣＩの送信など、様々な機構を使用したＴＤＤサブフレーム構成の動的表示が可能である。ＴＤＤ  ｅＩＭＴＡで（たとえば、ｅＮｏｄｅＢによって）構成されたＵＥの場合、ＨＡＲＱ演算に関して、アップリンクスケジューリングタイミングおよびＨＡＲＱタイミングは、システム情報ブロック（ＳＩＢ）１内でシグナリングされるＴＤＤサブフレーム構成に従ってよく、および／またはダウンリンクＨＡＲＱ参照構成は、ＴＤＤサブフレーム構成２、４、または５から選択されてよい。
【００７４】
[0082]別の例では、上で説明したように、複数のｅＮｏｄｅＢが多重接続性ワイヤレス通信を提供することができる。この構成では、たとえば、ＰＵＣＣＨが、ＭＣＧのＰＣｅｌｌまたはＳＣＨのＳＣｅｌｌの各々またはいずれかの上で送信され得るように、共通探索空間およびＰＵＣＣＨは、ＳＣＧ内の２次セル上でサポートされ得る。加えて、この構成では、アップリンク電力は複数のセルグループ間で共有され得る（たとえば、各グループにはある最低電力が保証され得、および／または電力は動的な形で共有され得る）。したがって、ＰＨＲは、複数のセルグループの各々に関するＰＵＣＣＨ上で送信され得る。電力が共有され得るため、送信電力を決定して、複数のセルグループの各々に関するＰＨＲを同様の時点で送信することが有益であり得る。加えて、たとえば、複数のｅＮｏｄｅＢは、同様の時点で、ＰＨＲの送信を要求し得る。上で説明したように、ｅＮｏｄｅＢおよび／または関係するセルを有するＣＣは、その間に、ＰＨＲが、別のセルグループに関するダウンリンクサブフレームである１つのセルグループに関して送信されるサブフレームをもたらし得る、異なるフレーム構造、サブフレーム構成、タイミングなどを有することが可能である。
【００７５】
[0083]加えて、ＬＴＥでは、少なくとも２つのタイプのＰＨＲが存在する。第１のタイプのＰＨＲは、ＵＥがセル上でＰＵＣＣＨなしでＰＵＳＣＨを送信することを含み、そこからＰＨＲを参照する実際のＰＵＰＳＣＨ送信が存在しない場合、ＰＵＳＣＨに関して仮想ＰＨＲが使用される。第２のタイプのＰＨＲは、ＵＥがセル上でＰＵＳＣＨおよびＰＵＣＣＨを送信することを含み、そこからＰＨＲを参照する実際のＰＵＣＣＨおよび／またはＰＵＰＳＣＨ送信が存在しない場合、ＰＵＣＣＨおよび／またはＰＵＳＣＨに関して仮想ＰＨＲが使用される。仮想ＰＨＲは、参照ＰＵＳＣＨまたはＰＵＣＣＨフォーマット、および最大電力削減（ＭＰＲ）がないことを想定して指定され得る。ＬＴＥにおける多重接続性の場合、ＵＥは、別のセルグループ／ｅＮｏｄｅＢに属するアクティブ化セルに関する仮想電力ヘッドルームを常に報告するように、または他のセルグループ／ｅＮｏｄｅＢ（またはさもなければ、仮想電力ヘッドルーム）内のセルに関してＰＵＣＣＨ／ＰＵＳＣＨ送信が存在しないとき、実際の電力ヘッドルームを報告するように構成され得る。
【００７６】
[0084]説明したように、多重接続性シナリオでは、ＰＨＲは、１つのセルグループ内の少なくとも１つのセル、および別のセルグループ内の少なくとも別のセルに関して報告され得る。セルグループは、異なるフレーム構造（たとえば、ＴＤＤ対ＦＤＤ）、異なるサブフレーム構成（たとえば、ｅＩＭＴＡにおけるように半静的または動的）などを有し得る。したがって、１つのセルに関してＰＨＲが報告されるとき、それは他のセルグループ内の他のセルに関するダウンリンクサブフレームの間であり得る。さらに、仮想ＰＨＲまたは実ＰＨＲが報告されているかどうかに関して（たとえば、ＵＥがＰＤＣＣＨ検出を逃したことにより、および／または、ＰＨＲに関する参照として機能するための実際のアップリンク送信が存在するかどうかに依存し得る、異なるグループのセルが仮想ＰＨＲまたは実ＰＨＲを使用しているか否かの時間内情報の欠如により、など）ｅＮｏｄｅＢとＵＥとの間に不整合が存在し得る。
【００７７】
[0085]この点について、ＵＥ６１５は、（たとえば、ｅＮｏｄｅＢ６０５−ａまたは６０５−ｂのうちの１つまたは複数から受信された構成情報、ネットワークに参加するときのプロビジョニングにおいて受信された構成情報、ＵＥ６１５内に記憶された構成から受信された構成情報に基づいて、など）電力ヘッドルーム報告を管理するための通信構成要素６４０を含み得る。たとえば、通信構成要素６４０は、別の通信リンク６２５−ａまたは６２５−ｂに関する電力ヘッドルームを報告するとき、通信リンク６２５−ａまたは６２５−ｂのうちの１つまたは複数に関して決定されたサブフレームタイプに少なくとも部分的に基づいて、通信リンク６２５−ａおよび６２５−ｂに関する電力ヘッドルーム報告を管理することができる。さらに、通信構成要素６４０は、この点について、サブフレームタイプに少なくとも部分的に基づいて、実際のまたは仮想の電力ヘッドルーム報告を含めるために、電力ヘッドルーム報告を同様に管理することができる。加えて、ＭｅＮｏｄｅＢ６０５−ａ（または、関係するＭＣＧ）に関する電力ヘッドルームを報告することを決定することに基づいて、ＳｅＮｏｄｅＢ６０５−ｂ（または、関係するＳＣＧ）の電力ヘッドルームを報告するための報告構成を決定するとして下で説明されるが、ＳｅＮｏｄｅＢ６０５−ｂ（または、関係するＳＣＧ）に関する、またはさらに、単一のｅＮｏｄｅＢおよび／または関係するセルを用いたアグリゲートキャリアであり得る通信リンク６２５−ａおよび６２５−ｂに関する電力ヘッドルームを報告することを決定することに基づいて、ＭｅＮｏｄｅＢ６０５−ａ（または、関係するＭＣＧ）の電力ヘッドルームを報告するための報告構成を決定することに同様の概念が適用され得ることを諒解されたい。
【００７８】
[0086]図７を参照すると、方法７００は、ブロック７１０で、少なくとも第１のセルによってサービスされる第１の接続を確立することを含む。ＵＥ６１５（図６）は、少なくとも第１のセルによってサービスされる第１の接続を確立するための通信構成要素６４０を含む。説明したように、たとえば、第１の接続は、本明細書で説明するように、ＭｅＮｏｄｅＢ６０５−ａもしくは関係するセル（たとえば、ＰＣｅｌｌMCG）またはセルグループ（たとえば、ＭＣＧ）を用いて確立された通信リンク６２５−ａを含み得る。通信構成要素６４０は、第１のセルを介してネットワークアクセスを要求すること（たとえば、第１のセルを用いてランダムアクセス手順を実行すること）に応答して受信され得る、第１のセルから受信される構成に少なくとも部分的に基づいてこの第１の接続を確立することができる。
【００７９】
[0087]方法７００はまた、ブロック７１２で、少なくとも第２のセルによってサービスされる第２の接続を確立することを含む。ＵＥ６１５の通信構成要素６４０は、ＳｅＮｏｄｅＢ６０５−ｂもしくは関係するセル（たとえば、ＰＣｅｌｌSCG）または関係するセルグループ（たとえば、ＳＣＧ）を用いて確立された通信リンク６２５−ｂを含み得る、少なくとも第２のセルによってサービスされる第２の接続を同様に確立することができる。通信構成要素６４０は、本明細書で説明するように、（異なるセルグループ内にあり得る）セル間の多重接続性を円滑にするために、第１のセルおよび／または第２のセルから受信された構成に少なくとも部分的に基づいて、この第２の接続を確立することができる。この点について、通信構成要素６４０は、多重接続性において通信リンク６２５−ａおよび６２５−ｂを介してＭｅＮｏｄｅＢ６０５−ａおよびＳｅＮｏｄｅＢ６０５−ｂと通信することができるが、多重接続性において、追加のｅＮｏｄｅＢ、セル、またはセルグループを用いて複数の２次リンクが確立され得ることを諒解されたい。さらに、多重接続性が示されているが、通信構成要素６４０は、キャリアアグリゲーションにおいて、第１のセルまたはＭｅＮｏｄｅＢ６０５−ａ（または、別のｅＮｏｄｅＢ）の別のセルを用いた第２の接続として通信リンク６２５−ｂを確立することができることを諒解されたい。いずれの場合も、通信リンク６２５−ａと６２５−ｂの両方、および／または他の通信リンクに関して電力ヘッドルーム報告が構成され得る。
【００８０】
[0088]方法７００はまた、ブロック７１４で、第１のセルの第１のアップリンクサブフレーム内で第１の電力ヘッドルームを報告することを決定することを含む。通信構成要素６４０は、第１のセルの第１のアップリンクサブフレーム内で第１のＰＨを報告することを決定するための電力ヘッドルーム（ＰＨ）報告構成要素６５０を含む。たとえば、通信構成要素６４０は、第１のセル（たとえば、ＰＣｅｌｌMCGに関する通信リンク６２５−ａ）に関するＰＨを報告することに関する構成を（たとえば、それとの通信を確立する際にＭｅＮｏｄｅＢ６０５−ａから）受信するか、またはさもなければ（たとえば、メモリ内に記憶された命令またはパラメータから）決定することができる。たとえば、ＰＨを報告するための構成は、ある時間間隔に従ってよく、あるサブフレーム内であってよく、１つまたは複数のイベントの発生（たとえば、ＭｅＮｏｄｅＢ６０５−ａが受ける経路損失がしきい値を超えること、ＰＨを報告するための周期的構成、など）に基づいてよい、等々である。通信構成要素６４０はまた、ＭＣＧに関する第１のＰＨに対応する報告として（たとえば、ＳＣＧに関する）通信リンク６２５−ｂに関する第２のＰＨを報告するかどうかを決定することができる。報告を送信するための通信リンク６２５−ａ上のサブフレームと同期である通信リンク６２５−ｂザット上のサブフレームがアップリンクサブフレームである場合、ＰＨ報告構成要素６５０は、通信リンク６２５−ｂに関する対応するＰＨＲを同様に送信することができる。しかしながら、説明したように、通信リンク６２５−ａおよび６２５−ｂは、異なるフレーム構造（たとえば、ＦＤＤ、ＴＤＤなど）、異なるサブフレーム構成（たとえば、ＴＤＤサブフレーム構成）、異なるタイミングまたはタイミングオフセットなどを使用することができ、したがって、通信リンク６２５−ａに関するＰＨＲが送信されるサブフレームは、通信リンク６２５−ｂの非アップリンクサブフレーム（たとえば、ダウンリンクまたは特殊サブフレーム）上で発生し得る。
【００８１】
[0089]したがって、方法７００は、ブロック７１６で、第２のセルの第２のサブフレームがアップリンクサブフレームでないとき、第２のセルの第２のサブフレームに基づいて第２の電力ヘッドルームに関する報告構成を決定することをさらに含む。ＰＨ報告構成要素６５０は、第２のセルの第２のサブフレームがアップリンクサブフレームでないとき、（たとえば、通信リンク６２５−ｂに関する）第２のセルの第２のサブフレームに基づいて第２の電力ヘッドルームに関する報告構成を決定することができる。一例では、ブロック７１６で報告構成を決定することは、ブロック７１８で、システム情報内に表示された構成または動的サブフレーム構成に基づいて第２のサブフレームのタイプを決定することをオプションで含み得る。ＰＨ報告構成要素６５０は、システム情報（たとえば、ＳＩＢ１）内に表示された構成または動的サブフレーム構成（たとえば、ｅＩＭＴＡまたは他の動的もしくは半静的サブフレーム構成）に基づいて第２のサブフレームのタイプを決定するためのサブフレームタイプ決定構成要素６５２を含む。一例では、サブフレームタイプ決定構成要素６５２は、ＰＨ報告構成要素６５０が第１のサブフレーム内で通信リンク６２５−ａに関するＰＨＲを送信することを決定することに少なくとも部分的に基づいて第２のサブフレームのタイプを決定することができる。たとえば、サブフレームタイプ決定構成要素６５２は、通信リンク６２５−ｂに関してＳｅＮｏｄｅＢ６０５−ｂ（または、関係するＰＣｅｌｌSCGまたはＳＣＧ）からのシステム情報（たとえば、ＳＩＢ１）内で受信された第２のセルに関するサブフレーム構成に少なくとも部分的に基づいて第２のサブフレームのタイプを決定することができる。説明したように、第２のセル（たとえば、ＳｅＮｏｄｅＢ６０５−ｂまたは関係するＰＣｅｌｌSCGもしくはＳＣＧ内の他のセル）は、通信リンク６２５−ｂ上で第２のセルとの通信に使用するためのＴＤＤサブフレーム構成を表示するシステム情報を送信することができる。したがって、サブフレームタイプ決定構成要素６５２は、一例では、表示されたＴＤＤサブフレーム構成に基づいて、所与のサブフレームに関するサブフレームタイプを決定することができる。別の例では、ＭｅＮｏｄｅＢ６０５−ａ（または、関係するＰＣｅｌｌMCGまたはＭＣＧ内の他のセル）は、多重接続性のためにＵＥ６１５を構成する際に、またはさもなければ、１つまたは複数のＵＥにブロードキャストされるシステム情報内で、通信リンク６２５−ｂに関するサブフレーム構成を表示することができる。さらに別の例では、説明したように、サブフレームタイプ決定構成要素６５２は、ｅＩＭＴＡ構成内で受信されるような（たとえば、ＳｅＮｏｄｅＢ６０５−ｂまたは関係するＰＣｅｌｌSCGもしくはＳＣＧ内の他のセルから）の通信リンク６２５−ｂに関して受信された動的もしくは半静的サブフレーム構成、または他の動的／半静的サブフレーム構成割当てに少なくとも部分的に基づいて、サブフレームタイプを決定することができる。この例では、ｅＩＭＴＡは、トラフィック適応のための追加のダウンリンクリソースを構成するために、１つまたは複数のＵＥと通信リンク６２５−ｂ上で実装され得、ＳｅＮｏｄｅＢ６０５−ｂは、（たとえば、上で説明したように、明示的なレイヤ１シグナリング、ＤＣＩ内の再構成に関する新しいＲＮＴＩ、などに基づいて）１つまたは複数のフレーム内で利用されることになる新しいＴＤＤサブフレーム構成についてＵＥ６１５に通知することができる。したがって、この例では、サブフレームタイプ決定構成要素６５２は、受信されたＴＤＤサブフレーム構成に基づいてサブフレームタイプを決定することができる。
【００８２】
[0090]一例では、ＰＨ報告構成要素６５０によって（たとえば、ブロック７１６で）決定された報告構成は、サブフレームタイプ決定構成要素６５２が第２のセルの第２のサブフレームのサブフレームタイプを決定することに基づき得る。タイプがアップリンクサブフレームである場合、説明したように、ＰＨ報告構成要素６５０は、通信リンク６２５−ａに関する第１の電力ヘッドルームとともに、通信リンク６２５−ｂに関する第２の電力ヘッドルームを報告することができる。第２のサブフレームがアップリンクサブフレームでない報告構成を決定するための例が、図８にさらに示される。
【００８３】
[0091]たとえば、図８に示すように、ブロック７１６で報告構成を決定することは、オプションで、ブロック８１０で、第２のサブフレームのタイプにかかわらず、第２のサブフレーム内で第２の電力ヘッドルームを報告することを決定することを含み得る。ＰＨ報告構成要素６５０は、第２のサブフレームのタイプにかかわらず、第２のサブフレーム内で通信リンク６２５−ｂに関する第２の電力ヘッドルームを報告することを決定することができる。したがって、第２のサブフレームのタイプがアップリンクサブフレームでない（たとえば、ダウンリンクサブフレームまたは特殊サブフレームである）場合ですら、ＰＨ報告構成要素６５０は、（たとえば、第１のサブフレーム内での第１のＰＨとともに、この場合、第１のサブフレームおよび第２のサブフレームは実質的に時間の点で整合する）第２のサブフレーム内で第２のＰＨを報告することができる。この例では、少なくとも第２のサブフレームがダウンリンクサブフレームまたは特殊サブフレームである場合、ＰＨ報告構成要素６５０は、仮想ＰＨＲを使用して電力ヘッドルームを報告することを決定することができる。第２のサブフレームのタイプにかかわらず、電力ヘッドルームを報告することは、（たとえば、対応するリンク６２５−ａおよび６２５−ｂ上の）ＵＥ６１５とＭｅＮｏｄｅＢ６０５−ａおよびＳｅＮｏｄｅＢ６０５−ｂとの間のＰＨＲの一貫した整合を可能にし得る。
【００８４】
[0092]別の例では、ブロック７１６で報告構成を決定することは、ブロック８１２で、第２のサブフレームのタイプがアップリンクサブフレームでない場合、第２のサブフレーム内で第２の電力ヘッドルームを報告することを省略することを決定することをオプションで含み得る。ＰＨ報告構成要素６５０は、第２のサブフレームのタイプがアップリンクサブフレームでない場合、第２のサブフレーム内で第２の電力ヘッドルームを報告することを省略することを決定することができる。これは、ダウンリンク通信のために構成されたサブフレーム内で電力ヘッドルームを報告することによってアップリンクオーバーヘッドが引き起こされるのを省くことができる。この例では、ＰＨ報告構成要素６５０は、第２の電力ヘッドルームを報告せずに、第１のアップリンクサブフレーム内で第１の電力ヘッドルームを報告する。
【００８５】
[0093]さらに別の例では、ブロック７１６で報告構成を決定することは、ブロック８１４で、第２のサブフレームのタイプがアップリンクサブフレームでない場合、第２のサブフレーム内で第２の電力ヘッドルームを選択的に報告することを決定することをオプションで含み得る。ＰＨ報告構成要素６５０は、第２のサブフレームのタイプがアップリンクサブフレームでない場合、第２のサブフレーム内で通信リンク６２５−ｂに関する第２の電力ヘッドルームを選択的に報告することを決定することができる。たとえば、これは、サブフレームが通信リンク６２５−ｂ上で非アップリンクサブフレームとして動的に構成されているかどうかに少なくとも部分的に基づき得る。加えて、第２の電力ヘッドルームを選択的に報告することを決定することはまた、本明細書でさらに説明するように、第２のサブフレームのタイプに基づいて第２のＰＨを仮想ＰＨとして報告するか、または実際のＰＨとして報告するかを決定することを含み得る。
【００８６】
[0094]ブロック８１４で第２の電力ヘッドルームを選択的に報告することを決定することは、ブロック８１６で、第２のサブフレームのタイプがシステム情報内で受信されたサブフレーム構成に基づいてアップリンクサブフレームでない場合、第２のサブフレーム内での第２の電力ヘッドルームの報告を省略することを決定することをオプションで含み得る。ＰＨ報告構成要素６５０は、通信リンク６２５−ｂ上の第２のサブフレームのタイプがシステム情報内で受信されたサブフレーム構成に基づいてアップリンクサブフレームでない場合、第２のサブフレーム内での第２の電力ヘッドルームの報告を省略することを決定することができる。説明したように、通信構成要素６４０は、（たとえば、ＳｅＮｏｄｅＢ６０５−ｂによって）関係するセルまたはセルグループからブロードキャストされたシステム情報（たとえば、ＳＩＢ１）内で通信リンク６２５−ｂに関するサブフレーム構成を受信することができる。この例では、システム情報内でブロードキャストされたサブフレーム構成に基づく第２のサブフレームのタイプがアップリンクサブフレームでない（たとえば、ダウンリンクサブフレームまたは特殊サブフレームである）場合、ＰＨ報告構成要素６５０は、サブフレームが（たとえば、ｅＩＭＴＡ内で）アップリンクサブフレームとして動的または半静的に構成されているかどうかにかかわらず、第２のサブフレーム内での第２の電力ヘッドルームの報告を省略することができる。たとえば、動的または半静的サブフレーム構成情報は、ＭｅＮｏｄｅＢ６０５−ａに利用可能でない場合があり、したがって、ＭｅＮｏｄｅＢ６０５−ａは、通信リンク６２５−ｂに関して表示されたサブフレーム構成に基づいて、通信リンク６２５−ａに関するＰＨＲとともに、通信リンク６２５−ｂに関するＰＨＲを受信することを期待することができない。
【００８７】
[0095]追加または代替として、ブロック８１４で、第２の電力ヘッドルームを選択的に報告することを決定することは、ブロック８１８で、第２のサブフレームのタイプが受信された動的サブフレーム構成に基づいてアップリンクサブフレームでない場合、第２のサブフレーム内で第２の電力ヘッドルームを報告することを決定することをオプションで含み得る。ＰＨ報告構成要素６５０は、第２のサブフレームのタイプが受信された動的サブフレーム構成に基づいてアップリンクサブフレームでない場合、第２のサブフレーム内で第２の電力ヘッドルームを報告することを決定することができる。説明したように、通信構成要素６４０は、システム情報内でブロードキャストされるサブフレーム構成とは異なり得る、動的または半静的サブフレーム構成を受信することもできる。一例では、通信構成要素６４０は、（たとえば、ＳｅＮｏｄｅＢ６０５−ｂが追加のダウンリンクリソースに関してｅＩＭＴＡを実装するとき、ＳｅＮｏｄｅＢ６０５−ｂから）通信リンク６２５−ｂに関するＤＣＩ内で動的または半静的サブフレーム構成を受信することができる。しかしながら、動的または半静的サブフレーム構成は、ＭｅＮｏｄｅＢ６０５−ａまたは関係するＭＣＧに利用可能でない場合があることを諒解されたい。この例では、ＰＨ報告構成要素６５０は、サブフレームがシステム情報内で受信されたサブフレーム構成内でアップリンクサブフレームとして構成されていたにもかかわらず）、第２のサブフレームが動的または半静的構成に基づいてアップリンクサブフレームでない場合、第２のサブフレーム内で第２の電力ヘッドルームを報告することを決定することができる。さらなる例が、図９を参照して以下で説明される。
【００８８】
[0096]別の例では、ブロック７１６で報告構成を決定することは、ブロック８２０で、第１のサブフレームおよび第２のサブフレームが時間の点で整合しない場合、第２のサブフレームが、第１のサブフレームと時間の点で整合するか、または第１のサブフレームの前に開始するサブフレームであると決定することをオプションで含む。ＰＨ報告構成要素６５０は、第１のサブフレームおよび第２のサブフレームが時間的に整合しない場合、第２のサブフレームが、第１のサブフレームと時間の点で整合するか、または第１のサブフレームの前に開始するサブフレームであると決定することができる。したがって、ブロック７１６で報告構成を決定することは、第２のサブフレームが第１のサブフレームと時間的に整合するかどうかにさらに基づき得る。第１のサブフレームおよび第２のサブフレームが時間的に整合しない場合、ブロック７１６で、報告構成を決定する際に使用される第２のサブフレームは、（たとえば、さらに、第１のサブフレームと重複する）時間的に第１のサブフレームの前に発生するサブフレームに対応し得る。一例では、時間的に第１のサブフレームの前に発生するが、第１のサブフレームに重複するサブフレームがアップリンクサブフレームでない場合、ＰＨ報告構成要素６５０は、タイミング不確実性、およびＰＨＲに関する参照サブフレームの欠如により、通信リンク６２５−ｂに関する第２の電力ヘッドルームの報告を省略することを決定することができる。別の例では、時間的に第１のサブフレームの前に発生するが、第１のサブフレームに重複するサブフレームがアップリンクサブフレームである場合、ＰＨ報告構成要素６５０は、通信リンク６２５−ａに関する第１の電力ヘッドルームとともに、通信リンク６２５−ｂに関する第２の電力ヘッドルームを報告することを決定することができる。さらなる例が、図９を参照して以下で説明される。
【００８９】
[0097]図９は、本開示の一態様による、（たとえば、キャリアアグリゲーションにおけるＣＣに関する、多重接続性におけるＳＣＧに関する、など）通信リンク６２５−ｂに関するＰＨＲに関する報告構成の例を示す、２つの例示的な通信タイムライン９００、９０２を示す。タイムライン９００、９０２では、周波数リソース上の各サブフレームが、通信リンク（たとえば、通信リンク６２５−ｂ）上でアップリンク、ダウンリンク、または特殊通信のいずれかのために構成される場合、本明細書で説明するように、セル１（たとえば、ＭＣＧ内でＭｅＮｏｄｅＢ６０５−ａによって提供されるセル）は、通信リンク（たとえば、通信リンク６２５−ａ）上でダウンリンク（ＤＬ）およびアップリンク（ＵＬ）通信のための異なる周波数リソースを使用してＵＥと通信するためにＦＤＤを使用し、セル２（たとえば、ＳＣＧ内でＳｅＮｏｄｅＢ６０５−ｂによって提供されるセル、またはキャリアアグリゲーションにおいて異なるＣＣを提供するセル１とは異なるセルまたは同じセル）はＴＤＤを使用する。したがって、一例では、非アップリンクサブフレームが、セル２に関するＳＩＢ内でアップリンクサブフレームとして表示されるが、（たとえば、ｅＩＭＴＡの一部として）動的サブフレーム構成の非アップリンクサブフレームとして表示され得る場合、報告構成は、ブロック７１６で、報告のためのサブフレームは、通信リンク６２５−ｂに関して非アップリンクサブフレームであるが、（たとえば、通信リンク６２５−ａに関する）セル１に関するＰＨＲとともに、（たとえば、通信リンク６２５−ｂに関する）セル２に関する対応するＰＨＲの報告を可能にするように決定され得る。別の例では、サブフレームが、ＳＩＢまたはセル２からのＤＬ−ＨＡＲＱ参照構成内で非アップリンクサブフレーム（たとえば、ダウンリンクまたは特殊サブフレーム）として表示される場合、報告構成は、ブロック７１６で、報告のためのサブフレームは通信リンク６２５−ｂに関する非アップリンクサブフレームであるが、セル１のＰＨＲとともに、セル２に関する対応するＰＨＲの報告を省略するように決定され得る。タイムライン９００は、図６のＵＥ６１５とＳｅＮｏｄｅＢ６０５−ｂとの間の通信リンク６２５−ｂのタイムラインに対応し得る、（ＳＩＢ内および動的サブフレーム構成内で表示される）セル２に関するタイムラインと、ＵＥ６１５とＭｅＮｏｄｅＢ６０５−ａとの間の通信リンク６２５−ａのタイムラインに対応し得る、セル１を用いた対応するタイムラインとを含む。
【００９０】
[0098]しかしながら、セル１および２が実質的に同じタイミングを使用する同期ネットワークに関するタイムライン９００に示すように、サブフレーム９０４は、セル２によってブロードキャストされるＳＩＢ１表示サブフレーム構成内でダウンリンクサブフレームとして表示される。この例では、報告構成は、セル１に関するこのサブフレーム内で送信するようにスケジュールされたＰＨＲを送信するとき、このサブフレーム９０４内（または、ＳＩＢ１内でダウンリンクまたは特殊サブフレームとして構成された任意のサブフレーム内）でセル２に関するＰＨＲを送信することを省略することを指定し得る。しかしながら、サブフレーム９０６は、ＳＩＢ１表示サブフレーム構成内でアップリンクサブフレームとしてＳＩＢ内に表示されるが、動的に表示されたサブフレーム構成で（たとえば、ｅＩＭＴＡで）ダウンリンクサブフレームとして再構成される。この例では、報告構成は、ＳＩＢ１表示サブフレーム構成に基づいて（および、動的または半静的サブフレーム構成にかかわらず）サブフレーム９０６内でセル１のＰＨＲを送信するとき、セル２に関する仮想ＰＨＲを送信することを指定し得る。この構成は、ＵＥ６１５とＳｅＮｏｄｅＢ６０５−ｂとの間の動的構成を知らずに、（報告構成でＵＥ６１５を構成することができる）ＭｅＮｏｄｅＢ６０５−ａから生じ得る。
【００９１】
[0099]別の例では、報告構成は、通信リンク６２５−ａの第１のサブフレームと同時に、またはその前に開始する通信リンク６２５−ｂの第２のサブフレームのサブフレームタイプに基づいて、セル１のＰＨＲとともに、セル２に関するＰＨの報告を提供するように決定され得る。これは、セル２のＰＨＲが、通信リンク６２５−ａの第１のサブフレームと同時に、またはその後で開始する通信リンク６２５−ｂの第２のサブフレームのサブフレームタイプに基づく代替設計とは異なるが、これは、この代替案は、将来のサブフレームに基づいてＰＨＲを計算することを潜在的に要求し得るためである。この構成は、通信リンク６２５−ａおよび６２５−ｂのゲーティング間隔（たとえば、フレームが）非同期であり、異なるタイミングまたはタイミングオフセットを使用するときに使用され得る。この例では、第１のサブフレームの間に開始する通信リンク６２５−ｂのサブフレームのタイプはアップリンクサブフレームであってよく、またはそうでなくてもよいが、先行するサブフレームは（たとえば、サブフレームの開始時に）セル１に関するＰＨＲを送信するための時間と重複し得るため、先行するサブフレームは、セル２に関する対応するＰＨＲを送るべきかどうかを決定する際に使用され得る。したがって、通信リンク６２５−ｂの先行するサブフレーム（第２のサブフレーム）がアップリンクサブフレームである場合、ＰＨＲはセル２に関する対応するＰＨＲとして（たとえば、送信のためにアップリンクが存在するかどうかに応じて、実ＰＨＲまたは仮想ＰＨＲとして）送られることが可能である。先行するサブフレームがアップリンクサブフレームでない場合、報告構成は、ブロック７１６で、セル２に関するＰＨＲを送信することを省略することができるか、または、ＰＨＲに関する対応する参照アップリンク送信は存在しないことになるため、仮想ＰＨＲとしてセル２に関するＰＨＲを送信することができるか、等々である。一例が下でタイムライン９０２に示される。
【００９２】
[00100]図９のタイムライン９０２は、説明したように、図６のＵＥ６１５とＭｅＮｏｄｅＢ６０５−ａとの間の通信リンク６２５−ａに対応し得る、セル１に関するタイムラインと、それぞれ、ＵＥ６１５とＳｅＮｏｄｅＢ６０５−ｂとの間の通信リンク６２５−ｂに対応し得る、異なる考えられるタイミングオフセット（タイムオフセット１およびタイムオフセット２）を示す、セル２に関する２つの代替タイムラインとを含み得る。セル１と２の間のタイムラインは、時間の点で実質的に整合しないため、これらは非同期である。この例では、セル１に関するＰＨＲはサブフレーム９０８内で送信され得る。非同期システムでは、報告構成は、上で説明したように、セル１のサブフレーム９０８の前に開始し、セル１のサブフレーム９０８に少なくとも部分的に時間の点で重複する、セル２に対するサブフレームのタイプに基づいて、セル１に関するＰＨＲを報告するとき、セル２に関するＰＨＲを報告するか、または省略するように決定され得る。セル２に関するこのタイムオフセット１で、セル１に関するＰＨＲを送信するために開始されるサブフレーム９０８と重複するサブフレーム９１０は、アップリンクサブフレームである。したがって、ＵＥ６１５は、セル１に関するＰＨＲを送信するとき、サブフレーム９１０の間の報告構成に従って、セル２に関するＰＨＲをＳｅＮｏｄｅＢ６０５−ｂに送信することができる。一例では、アップリンク送信がサブフレーム９１０内で発生する場合、セル２に関するＰＨＲは、実ＰＨＲであり得る。セル２に関するこのタイムオフセット２で、セル１に関するＰＨＲを送信するために開始されるサブフレーム９０８と重複するサブフレーム９１２は、アップリンクサブフレームではない。したがって、ＵＥ６１５は、セル１に関するＰＨＲを送信するとき、サブフレーム９１２の間の報告構成に従って、セル２に関するＰＨＲをＳｅＮｏｄｅＢ６０５−ｂに送信することを控えることができる。別の例では、アップリンクサブフレームではないサブフレーム９１２の場合、報告構成は、サブフレーム９１２の間に仮想ＰＨＲを報告するように決定され得る（たとえば、ＰＨＲに関する参照を提供し得るアップリンク送信も送られる場合、実ＰＨＲは、サブフレーム９１０の場合、送信され得る）。
【００９３】
[00101]図７を再び参照すると、方法７００は、ブロック７２０で、報告構成および／またはＰＨ報告条件が満たされているかどうかに基づいて、第１の電力ヘッドルームおよび／または第２の電力ヘッドルームを報告することをオプションで含み得る。ＰＨ報告構成要素６５０は、報告構成および／またはＰＨ報告条件が満たされているかどうかに基づいて、第１の電力ヘッドルームおよび／または第２の電力ヘッドルームを報告することができる。これは、通信リンク６２５−ｂに関する第２の電力ヘッドルームを報告することを含むことができ、この場合、電力ヘッドルーム報告すること、省略することが決定された場合には電力ヘッドルームの報告を控えること、などが決定される。加えて、たとえば、ＵＥ６１５はまた、通信リンク６２５−ａに関するＰＨＲとともに、通信リンク６２５−ｂに関するＰＨＲが送信されるとき、１つまたは複数のＰＨ報告条件が満たされるかどうかを決定するためのＰＨ報告条件構成要素６５８をオプションで含み得る。たとえば、ＰＨＲの送信は、セルグループに対する経路損失の増大、（たとえば、経路損失の増大または他の条件の検出以外の）ＰＨＲの送信をスケジュールするための周期的時間に関する周期的構成など、１つまたは複数の検出された条件に基づき得る。ＰＨ報告条件を達成することは、（たとえば、リソース許可を構成する、ハンドオーバを決定する、他の通信パラメータを構成するなど）通信のためにセルまたはＵＥ６１５を構成することを円滑にするためにセルサッチに関して追跡され得る。
【００９４】
[00102]たとえば、図１０に示すように、ブロック７２０で第１のおよび／または第２の電力ヘッドルームを報告することは、ブロック１０１２で、第２のヘッドルームを報告することに基づいて第２のセルに関して電力ヘッドルーム報告条件が達成されるかどうかを決定することをオプションで含み得る。たとえば、通信リンク６２５−ｂに関するＰＨＲが通信リンク６２５−ａに関するＰＨＲとともに送られるとき、ＰＨ報告条件構成要素６５８は、第２のセルに関する（たとえば、通信リンク６２５−ｂに関する）ＰＨ報告条件が達成されるかどうかを決定することができる。これは、ＰＨ報告条件構成要素６５８が、しきい値を達成するために通信リンク６２５−ｂの経路損失が増大したかどうか、通信リンク６２５−ｂに関するＰＨを報告するための周期的時間が終了したかどうか、などを決定することを含み得る。したがって、７２０で第１のおよび／または第２の電力ヘッドルームを報告することはまた、ブロック１０１４で、第２のセルに関して電力ヘッドルーム報告条件が達成されることを決定することに少なくとも部分的に基づく電力ヘッドルーム報告条件に基づくとして、第２の電力ヘッドルームを報告することを表示することをオプションで含み得る。ＰＨ報告条件構成要素６５８は、第２のセルに関して電力ヘッドルーム報告条件が達成されることを決定することに少なくとも部分的に基づく電力ヘッドルーム報告条件に基づくとして、第２の電力ヘッドルームを報告することを表示することができる。
【００９５】
[00103]いくつかの例では、ＰＨ報告条件構成要素６５８は、ＰＨＲのタイプに基づいて、報告条件をチェックすることおよび／またはＰＨＲのトリガを表示することができる。したがって、たとえば、ブロック１０１４で、電力ヘッドルーム報告条件に基づくとして第２の電力ヘッドルームの報告を表示することは、ブロック１０１６で、報告された第２の電力ヘッドルームが実際の電力ヘッドルームであるかどうかを決定することをオプションで含み得る。したがって、一例では、ＰＨ報告条件構成要素６５８は、第２の電力ヘッドルーム報告が実際の電力ヘッドルームである場合、電力ヘッドルーム報告条件に基づくとして報告することを表示し、第２の電力ヘッドルーム報告が仮想電力ヘッドルームである場合、報告しないことを表示することができる。別の例では、ブロック１０１４で、電力ヘッドルーム報告条件に基づくとして第２の電力ヘッドルームの報告を表示することは、ブロック１０１８で、第２の電力ヘッドルームが実際の電力ヘッドルームとして報告されるように構成されるかどうかを決定することをオプションで含み得る。ＰＨ報告条件構成要素６５８は、少なくとも、（たとえば、常に仮想電力ヘッドルームである場合とは対照的に）基準点に関してアップリンクデータ送信が利用可能である場合、第２の電力ヘッドルームが実際の電力ヘッドルームとして報告されるように構成されるかどうかを決定することができる。そのような場合、ＰＨ報告条件構成要素６５８は、電力ヘッドルーム報告条件に基づくとして第２の電力ヘッドルームを報告することを表示することができる。電力ヘッドルーム報告条件に基づくとして第２の電力ヘッドルームを報告することは、報告条件を再設定させるか、または報告条件の他の修正をもたらす場合があり、これは、ブロック７２０で、第２のセルに関する後続の電力ヘッドルームが後続の動作内で報告されるかどうかに影響を及ぼし得る。
【００９６】
[00104]方法７００はまた、ブロック７２２で、第２のＰＨＲに関する報告構成を決定するための１つまたは複数のパラメータを定義する構成を受信することをオプションで含み得る。ＵＥ６１５は、第２のＰＨＲに関する報告構成を決定するための１つまたは複数のパラメータを定義する構成を受信するためのＰＨＲ構成受信構成要素６６０をオプションで含み得る。たとえば、ＰＨＲ構成受信構成要素６６０は、（たとえば、対応するワイヤレスネットワークに対する接続を当初確立するとき）ネットワークプロビジョニングにおいて受信された、ＵＥ６１５内に記憶された構成から取得された、など、ＭｅＮｏｄｅＢ６０５−ａ、ＳｅＮｏｄｅＢ６０５−ｂ、ＭＣＧ／ＳＣＧ内の他のノードから構成を受信することができる。したがって、この構成は、ネットワーク内のすべてのｅＮｏｄｅＢにまたはＭｅＮｏｄｅＢに、ｅＮｏｄｅＢの組合せに、あるＭｅＮｏｄｅＢと通信しているときＳｅＮｏｄｅＢに、その逆に、などに適用可能である。この構成の１つまたは複数のパラメータは、たとえば、（たとえば、１つまたは複数のサブフレームタイプを決定することに基づいて、セルグループが非同期であることを決定することに基づいて、など）上で説明したように、ＰＨ報告構成要素６５０が通信リンク６２５−ｂに関するＰＨＲをいつ報告すべきか、もしくは省略すべきか、または選択的に報告／省略すべきかを定義することができる。
【００９７】
[00105]別の例では、方法７００は、ブロック７２４で、第２のＰＨＲがＰＨＲ内の対応する報告として存在するかどうか、および／または第２のＰＨＲが仮想ＰＨＲであるかどうかを表示することをオプションで含み得る。この点について、たとえば、ＵＥ６１５は、ＰＨＲが別のセルに関する対応するＰＨＲを含むかどうかを表示するためのＰＨ報告表示構成要素６５４をオプションで含み得る。この例では、ＭｅＮｏｄｅＢ６０５−ａおよび／またはＳｅＮｏｄｅＢ６０５−ｂは、関連するＰＨＲが他のセルグループに関するＰＨＲとともに含まれるかどうかを決定するためにこの表示を利用することができる。たとえば、この表示は、最初にスケジュールされたＰＨＲ内に設定されたビットインジケータ（たとえば、通信リンク６２５−ｂに関するＰＨＲが通信リンク６２５−ａに関するＰＨＲ内に含まれているかどうかのインジケータ）を含み得る。さらに、ＵＥ６１５は、通信リンク６２５−ｂに関するＰＨＲとともに送信された、通信リンク６２５−ｂに関するＰＨＲが実ＰＨＲであるかまたは仮想ＰＨＲであるかを表示するための仮想ＰＨ報告表示構成要素６５６をオプションで含み得る。一例では、単一のビットインジケータが（たとえば、ＰＨＲ内で）使用されてよく、通信リンク６２５−ｂに関するＰＨＲが実際であるか、または仮想であるかを特定することができる。ＵＥ６１５およびＭｅＮｏｄｅＢ６０５−ａは、サブフレーム内のアップリンク送信の存在または非存在に基づいて、通信リンク６２５−ａに関するＰＨＲが実際であるか、または仮想であるかを知っている可能性があるため、ＰＨＲは、通信リンク６２５−ａに関して同様のインジケータを含まなくてもよいことを諒解されたい。この例では、ＭｅＮｏｄｅＢ６０５−ａおよび／またはＳｅＮｏｄｅＢ６０５−ｂは、通信リンク６２５−ｂに関するＰＨＲが実ＰＨＲであるか、または仮想ＰＨＲであるかを決定するためにこの表示を利用することができる。
【００９８】
[00106]図１１は、本開示の一態様に従って構成された処理システム１１１４を採用する装置１１００のための例示的なハードウェア実装形態を概念的に示すブロック図である。処理システム１１１４は通信構成要素１１４０を含む。一例では、装置１１００は、様々な図で説明したＵＥのうちの１つと同じもしくは同様であり得るか、またはそれとともに含まれ得る。そのような例では、通信構成要素１１４０は、たとえば、通信構成要素６４０に対応し得、したがって、その様々な構成要素の説明した機能、図７、図８、および図１０において方法７００で説明された機能、などを実行するように構成され得る。この例では、処理システム１１１４は、バス１１０２によって表されるバスアーキテクチャを用いて実装され得る。バス１１０２は、処理システム１１１４の適用例および全体的な設計制約に応じて、任意の数の相互接続バスおよびブリッジを含み得る。バス１１０２は、プロセッサ１１０４によって表される１つまたは複数のプロセッサ（たとえば、中央処理ユニット（ＣＰＵ）、マイクロコントローラ、特定用途向け集積回路（ＡＳＩＣ）、フィールドプログラマブルゲートアレイ（ＦＰＧＡ））、およびコンピュータ可読媒体１１０６によって表されるコンピュータ可読媒体を含む様々な回路を互いにリンクする。バス１１０２はまた、タイミングソース、周辺装置、電圧調整器、および電力管理回路などの、様々な他の回路をリンクし得るが、これらの回路は当技術分野においてよく知られており、したがって、これ以上説明しない。バスインターフェース１１０８は、バス１１０２と、信号を受信または送信するための１つまたは複数のアンテナ１１２０に接続されたトランシーバ１１１０との間のインターフェースを提供する。トランシーバ１１１０および１つまたは複数のアンテナ１１２０は、伝送媒体を介して（たとえば、オーバージエアで）様々な他の装置と通信するための機構を提供する。装置の性質に応じて、ユーザインターフェース（ＵＩ）１１１２（たとえば、キーパッド、ディスプレイ、スピーカー、マイクロフォン、ジョイスティック）も提供され得る。
【００９９】
[00107]プロセッサ１１０４は、バス１１０２を管理することと、コンピュータ可読媒体１１０６に記憶されたソフトウェアの実行を含む全般的な処理とを担当する。ソフトウェアは、プロセッサ１１０４によって実行されたとき、処理システム１１１４に、任意の特定の装置のための本明細書で説明する様々な機能を実行させる。また、コンピュータ可読媒体１１０６は、ソフトウェアを実行するときにプロセッサ１１０４によって操作されるデータを記憶するために使用され得る。上で説明した通信構成要素１１４０は、プロセッサ１１０４によって、もしくはコンピュータ可読媒体１１０６によって、またはプロセッサ１１０４とコンピュータ可読媒体１１０６の任意の組合せによって全体的または部分的に実装され得る。
【０１００】
[00108]情報および信号は、多種多様な技術および技法のうちのいずれかを使用して表され得ることを、当業者は理解されよう。たとえば、上記の説明全体にわたって参照され得るデータ、命令、コマンド、情報、信号、ビット、シンボル、およびチップは、電圧、電流、電磁波、磁場もしくは粒子、光場もしくは光粒子、またはそれらの任意の組合せによって表現され得る。
【０１０１】
[00109]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアおよびソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１０２】
[00110]本明細書の開示に関して説明した様々な例示的な論理ブロック、モジュール、および回路は、汎用プロセッサ、デジタル信号プロセッサ（ＤＳＰ）、ＡＳＩＣ、ＦＰＧＡまたは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【０１０３】
[00111]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体内に存在し得る。例示的な記憶媒体は、プロセッサが記憶媒体から情報を読み取り、記憶媒体に情報を書き込むことができるようにプロセッサに結合される。代替では、記憶媒体はプロセッサと一体とすることができる。プロセッサおよび記憶媒体は、ＡＳＩＣ内に存在し得る。ＡＳＩＣはユーザ端末内に存在し得る。あるいは、プロセッサおよび記憶媒体は、ユーザ端末内のディスクリートな構成要素として存在し得る。
【０１０４】
[00112]１つまたは複数の例示的な設計では、記載された機能は、ハードウェア、ソフトウェア、ファームウェア、または任意のそれらの組合せに実装される場合がある。ソフトウェアで実装される場合、これら機能は、コンピュータ可読媒体上に記憶されるか、あるいは、コンピュータ可読媒体上の１つまたは複数の命令またはコードとして送信され得る。コンピュータ可読媒体は、コンピュータプログラムのある場所から別の場所への転送を容易にする任意の媒体を含む、コンピュータ記憶媒体と通信媒体の両方を含む。記憶媒体は、汎用コンピュータまたは特別目的コンピュータによってアクセスされ得る任意の利用可能な媒体であり得る。限定ではなく、一例として、そのようなコンピュータ可読媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令またはデータ構造の形式で所望のプログラムコード手段を伝送または記憶するために使用され、汎用コンピュータまたは特別目的コンピュータ、あるいは、汎用プロセッサまたは特別目的プロセッサによってアクセスされ得るその他の任意の媒体を備え得る。さらに、いかなる接続も、コンピュータ可読媒体として適切に称される。同軸ケーブル、光ファイバケーブル、ツイストペア、デジタル加入者線（ＤＳＬ）、あるいは、たとえば赤外線、無線およびマイクロ波のようなワイヤレス技術を使用して、ウェブサイト、サーバ、あるいはその他の遠隔ソースからソフトウェアが送信される場合、同軸ケーブル、光ファイバケーブル、ツイストペア、ＤＳＬ、あるいは、たとえば赤外線、無線およびマイクロ波のような無線技術が、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲に含まれるべきである。
【０１０５】
[00113]本開示についての以上の説明は、当業者が本開示を作成または使用することができるようにするために提供したものである。本開示への様々な変更は当業者には容易に明らかになり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に本願発明の当初の特許請求の範囲に記載された発明を付記する。
［Ｃ１］
ワイヤレスネットワークにおいて電力ヘッドルームを報告するための方法であって、
少なくとも第１のセルによってサービスされる第１の接続を確立することと、
少なくとも第２のセルによってサービスされる第２の接続を確立することと、
前記第１のセル内の前記第１のセルの第１のアップリンクサブフレーム内で第１の電力ヘッドルームを報告することを決定することと、
前記第２のセルの第２のサブフレームのタイプがアップリンクサブフレームでないとき、前記第２のセルの前記第２のサブフレームに基づいて第２の電力ヘッドルームに関する報告構成を決定することと
を備える、方法。
［Ｃ２］
前記第１の接続および前記第２の接続が同期し、前記第２のサブフレームが、前記第１の電力ヘッドルームを報告することを決定するための前記第１のアップリンクサブフレームと同時に発生する、Ｃ１に記載の方法。
［Ｃ３］
前記第２のサブフレームの前記タイプがダウンリンクサブフレームまたは特殊サブフレームのうちの１つである、Ｃ１に記載の方法。
［Ｃ４］
前記第１のセルまたは前記第２のセルのうちの少なくとも１つによってシグナリングされるサブフレーム構成に少なくとも部分的に基づいて、前記第２のサブフレームの前記タイプを決定することをさらに備える、Ｃ１に記載の方法。
［Ｃ５］
前記第２の電力ヘッドルームに関する前記報告構成を決定することが、前記アップリンクサブフレームでないとしての前記第２のサブフレームの前記タイプに少なくとも部分的に基づいて、前記第２の電力ヘッドルームを仮想電力ヘッドルームとして報告することを決定することを備える、Ｃ１に記載の方法。
［Ｃ６］
前記第２の電力ヘッドルームに関する前記報告構成を決定することが、前記第２のセルに関する前記第２の電力ヘッドルームの報告を省略することを決定することを備える、Ｃ１に記載の方法。
［Ｃ７］
半静的サブフレーム構成または動的サブフレーム構成に少なくとも部分的に基づいて前記第２のサブフレームの前記タイプを決定することをさらに備える、Ｃ１に記載の方法。
［Ｃ８］
前記第２の電力ヘッドルームに関する前記報告構成を決定することが、前記第２のサブフレームが、前記半静的サブフレーム構成または前記動的サブフレーム構成に従って非アップリンクサブフレームとして表示されるとき、前記第２の電力ヘッドルームを仮想電力ヘッドルームとして報告することを決定することを備える、Ｃ７に記載の方法。
［Ｃ９］
前記第２の電力ヘッドルームを報告することを決定することが、前記第２のサブフレームが、前記第２のセルからのシステム情報内でシグナリングされるサブフレーム構成に従って前記アップリンクサブフレームとして表示されることを決定することに少なくとも部分的に基づく、Ｃ８に記載の方法。
［Ｃ１０］
前記第２の電力ヘッドルームに関する前記報告構成を決定することが、前記第１のアップリンクサブフレームの前に発生し、前記第１のアップリンクサブフレームに重複する前記第２のセルの前記第２のサブフレームの前記タイプを決定することに少なくとも部分的に基づき、ここにおいて、前記第１のセルおよび前記第２のセルが非同期タイミングを利用する、Ｃ１に記載の方法。
［Ｃ１１］
前記第１の電力ヘッドルームに基づいて前記第２の電力ヘッドルームに関する前記報告構成に関する１つまたは複数のパラメータを表示する構成を前記第１のセルから受信することを備え、ここにおいて、前記報告構成を決定することが、前記構成に少なくとも部分的に基づく、Ｃ１に記載の方法。
［Ｃ１２］
前記第１のセルに関する前記第１の電力ヘッドルームを報告することと、
前記第１の電力ヘッドルームを報告する際に、前記第２の電力ヘッドルームが前記第１の電力ヘッドルームを前記報告することに含まれるかどうかを表示することと
をさらに備える、Ｃ１に記載の方法。
［Ｃ１３］
前記第１のセルに関する前記第１の電力ヘッドルームおよび前記第２のセルに関する前記第２の電力ヘッドルームを報告することと、
少なくとも前記第２の電力ヘッドルームが、仮想電力ヘッドルームであるか、または実際の電力ヘッドルームであるかを表示すことと
をさらに備える、Ｃ１に記載の方法。
［Ｃ１４］
前記第１のセルに関する前記第１の電力ヘッドルームおよび前記第２のセルに関する前記第２の電力ヘッドルームを報告することと、
前記第２の電力ヘッドルームを報告することに基づいて、電力ヘッドルーム報告条件が前記第２のセルに関して達成されるかどうかを決定することと、
前記電力ヘッドルーム報告条件が前記第２のセルに関して達成されることを決定することに少なくとも部分的に基づく前記電力ヘッドルーム報告条件に基づくとして前記第２の電力ヘッドルームを前記報告することを表示することと
をさらに備える、Ｃ１に記載の方法。
［Ｃ１５］
前記電力ヘッドルーム報告条件に基づくとして前記第２の電力ヘッドルームの前記報告を表示することがさらに、報告された前記第２の電力ヘッドルームが実際の電力ヘッドルームであるかどうかを決定することに少なくとも部分的に基づく、Ｃ１４に記載の方法。
［Ｃ１６］
前記第２のセルに関する前記電力ヘッドルーム報告条件が、少なくとも部分的に基づく経路損失変更、または周期的構成である、Ｃ１４に記載の方法。
［Ｃ１７］
前記第１の接続および前記第２の接続が２つの異なるセルグループに属し、前記第１の接続および前記第２の接続のうちの１つが１次セルグループのものである、Ｃ１に記載の方法。
［Ｃ１８］
ワイヤレスネットワークにおいて電力ヘッドルームを報告するための装置であって、
少なくとも第１のセルによってサービスされる第１の接続を確立し、少なくとも第２のセルによってサービスされる第２の接続を確立するための通信構成要素と、
前記第１のセル内の前記第１のセルの第１のアップリンクサブフレーム内で第１の電力ヘッドルームを報告することを決定し、前記第２のセルの第２のサブフレームのタイプがアップリンクサブフレームでないとき、前記第２のセルの前記第２のサブフレームに基づいて第２の電力ヘッドルームに関する報告構成を決定するための電力ヘッドルーム報告構成要素と
を備える、装置。
［Ｃ１９］
前記第１の接続および前記第２の接続が同期し、前記第２のサブフレームが、前記第１の電力ヘッドルームを報告することを決定するための前記第１のアップリンクサブフレームと同時に発生する、Ｃ１８に記載の装置。
［Ｃ２０］
前記第２のサブフレームの前記タイプがダウンリンクサブフレームまたは特殊サブフレームのうちの１つである、Ｃ１８に記載の装置。
［Ｃ２１］
前記第１のセルまたは前記第２のセルのうちの少なくとも１つによってシグナリングされるサブフレーム構成に少なくとも部分的に基づいて前記第２のサブフレームの前記タイプを決定するように構成されたサブフレームタイプ決定構成要素をさらに備える、Ｃ１８に記載の装置。
［Ｃ２２］
前記電力ヘッドルーム報告構成要素が、前記アップリンクサブフレームでないとしての前記第２のサブフレームの前記タイプに少なくとも部分的に基づいて仮想電力ヘッドルームとして前記第２の電力ヘッドルームに関する前記報告構成を決定するように構成される、Ｃ１８に記載の装置。
［Ｃ２３］
前記電力ヘッドルーム報告構成要素が、前記第２のセルに関する前記第２の電力ヘッドルームの報告を省略するための前記第２の電力ヘッドルームに関する前記報告構成を決定するように構成される、Ｃ１８に記載の装置。
［Ｃ２４］
半静的サブフレーム構成または動的サブフレーム構成に少なくとも部分的に基づいて前記第２のサブフレームの前記タイプを決定するように構成されたサブフレームタイプ決定構成要素をさらに備える、Ｃ１８に記載の装置。
［Ｃ２５］
前記電力ヘッドルーム報告構成要素が、前記第２のサブフレームが前記半静的サブフレーム構成または前記動的サブフレーム構成に従って非アップリンクサブフレームとして表示されるとき、仮想電力ヘッドルームとして前記第２の電力ヘッドルームに関する前記報告構成を決定するように構成される、Ｃ２４に記載の装置。
［Ｃ２６］
前記電力ヘッドルーム報告構成要素が、前記第２のサブフレームが、前記第２のセルからのシステム情報内でシグナリングされるサブフレーム構成に従って前記アップリンクサブフレームとして表示されることを決定することに少なくとも部分的に基づいて前記第２の電力ヘッドルームを報告することを決定するように構成される、Ｃ２５に記載の装置。
［Ｃ２７］
ワイヤレスネットワークにおいて電力ヘッドルームを報告するための装置であって、
少なくとも第１のセルによってサービスされる第１の接続を確立するための手段と、
少なくとも第２のセルによってサービスされる第２の接続を確立するための手段と、
前記第１のセル内の前記第１のセルの第１のアップリンクサブフレーム内で第１の電力ヘッドルームを報告することを決定するための手段と、
前記第２のセルの第２のサブフレームのタイプがアップリンクサブフレームでないとき、前記第２のセルの前記第２のサブフレームに基づいて第２の電力ヘッドルームに関する報告構成を決定するための手段と
を備える、装置。
［Ｃ２８］
前記第１の接続および前記第２の接続が同期し、前記第２のサブフレームが、前記第１の電力ヘッドルームを報告することを決定するための前記第１のアップリンクサブフレームと同時に発生する、Ｃ２７に記載の装置。
［Ｃ２９］
ワイヤレスネットワークにおいて電力ヘッドルームを報告するためのコンピュータ実行可能コードを備えた非一時的コンピュータ可読記憶媒体であって、前記コードが、
少なくとも１つのコンピュータに、少なくとも第１のセルによってサービスされる第１の接続を確立させるためのコードと、
前記少なくとも１つのコンピュータに、少なくとも第２のセルによってサービスされる第２の接続を確立させるためのコードと、
前記少なくとも１つのコンピュータに、前記第１のセル内の前記第１のセルの第１のアップリンクサブフレーム内で第１の電力ヘッドルームを報告することを決定させるためのコードと、
前記少なくとも１つのコンピュータに、前記第２のセルの第２のサブフレームのタイプがアップリンクサブフレームでないとき、前記第２のセルの前記第２のサブフレームに基づいて第２の電力ヘッドルームに関する報告構成を決定させるためのコードと
を備える、非一時的コンピュータ可読記憶媒体。
［Ｃ３０］
前記第１の接続および前記第２の接続が同期し、前記第２のサブフレームが、前記第１の電力ヘッドルームを報告することを決定するための前記第１のアップリンクサブフレームと同時に発生する、Ｃ２９に記載の非一時的コンピュータ可読記憶媒体。
【図１】
0006456981.tif 000003
【図２】
0006456981.tif 000004
【図３】
0006456981.tif 000005
【図４】
0006456981.tif 000006
【図５】
0006456981.tif 000007
【図６】
0006456981.tif 000008
【図７】
0006456981.tif 000009
【図８】
0006456981.tif 000010
【図９】
0006456981.tif 000011
【図１０】
0006456981.tif 000012
【図１１】
0006456981.tif 000013